(57)【要約】  断熱コンテナを作製するためのシステムおよび方法であって、断熱コンテナは、蓋断熱構造体またはベース断熱構造体の中に少なくとも１つのキャビティーを有しており、少なくとも１つのキャビティーの中に配設された少なくとも１つの真空断熱式パネルを有している。
2020519537.tif 000002
【特許請求の範囲】
【請求項１】
ベース断熱構造体および蓋断熱構造体を有する断熱コンテナであって、前記ベース断熱構造体および前記蓋断熱構造体は、閉じられているときに、内部貯蔵コンパートメントを囲み、前記断熱コンテナは、
ベース断熱構造体であって、前記ベース断熱構造体は、
ベース外側シェル構造体およびベース内側壁部構造体によって囲まれているベース・キャビティーであって、前記ベース内側壁部構造体は、前記ベース断熱構造体の周囲部の周りに延在するベース・カラーを含む、ベース・キャビティー、ならびに、
前記ベース・キャビティーの中に位置決めされているベース断熱部分であって、前記ベース断熱部分は、断熱フォームの塊によって少なくとも部分的に取り囲まれている、ベース断熱部分
を含む、ベース断熱構造体と、
前記ベース断熱構造体と枢動可能に係合されている蓋断熱構造体であって、前記蓋断熱構造体は、
蓋外側シェル構造体および蓋内側壁部構造体によって囲まれている蓋キャビティーであって、前記蓋内側壁部構造体は、前記蓋断熱構造体の周囲部の周りに延在する蓋カラーを含む、蓋キャビティー、ならびに、
前記キャビティーの中に位置決めされている蓋断熱部分であって、前記蓋断熱部分は、断熱フォームの塊によって少なくとも部分的に取り囲まれている、蓋断熱部分
を含む、蓋断熱構造体と
を含み、
前記ベース断熱部分および前記蓋断熱部分のうちの少なくとも１つは、少なくとも１つの真空断熱式パネルを含む、断熱コンテナ。
【請求項２】
前記ベース断熱部分は、第１の側壁部真空断熱式パネル、第２の側壁部真空断熱式パネル、および、３ピースの真空断熱式パネルを含む、請求項１に記載の断熱コンテナ。
【請求項３】
前記３ピースの真空断熱式パネルは、折り畳み可能な断熱パネルを含み、前記折り畳み可能な断熱パネルは、２つの折り畳み可能な部分を有しており、前記折り畳み可能な断熱部分が、前記ベース断熱構造体の２つの角部の周りに延在するように折り畳まれるようになっている、請求項２に記載の断熱コンテナ。
【請求項４】
前記３ピースの真空断熱式パネルは、１つの真空断熱式パネルを含む、請求項３に記載の断熱コンテナ。
【請求項５】
前記断熱コンテナの前記２つの折り畳み可能な部分は圧縮され、前記２つの折り畳み可能な部分の厚さが、前記３ピースの真空断熱式パネルの残りの部分の厚さよりも小さくなるようになっている、請求項４に記載の断熱コンテナ。
【請求項６】
前記３ピースの真空断熱式パネルは、カット・アウト部分を含む、請求項５に記載の断熱コンテナ。
【請求項７】
前記蓋断熱部分は、１つの真空断熱式パネルを含む、請求項５に記載の断熱コンテナ。
【請求項８】
前記蓋断熱部分は、カット・アウト部分を含む、請求項７に記載の断熱コンテナ。
【請求項９】
前記断熱コンテナは、エンド・キャップをさらに含み、前記エンド・キャップは、前記ベース外側シェル構造体の底部端部と係合されている、請求項１に記載の断熱コンテナ。
【請求項１０】
前記ベース外側シェル構造体は、上部フランジおよび底部フランジをさらに含み、前記上部フランジは、前記ベース内側壁部構造体の中のチャネルの中に係合されており、前記底部フランジは、前記エンド・キャップの中のチャネルの中に係合されている、請求項１に記載の断熱コンテナ。
【請求項１１】
前記蓋外側シェル構造体は、フランジをさらに含み、前記フランジは、前記蓋カラーの中のチャネルの中に係合されている、請求項１０に記載の断熱コンテナ。
【請求項１２】
前記断熱コンテナは、前記ベース・カラーから延在する少なくとも１つのベース係合構造体をさらに含み、前記ベース係合構造体は、前記ベース内側壁部構造体の中の前記チャネルに対して実質的に垂直のベース係合構造体チャネルを含み、前記上部フランジは、前記ベース係合チャネルの中に係合されている、請求項１１に記載の断熱コンテナ。
【請求項１３】
ラッチ、ハンドル、およびヒンジのうちの少なくとも１つが、少なくとも１つの機械的な締結具を使用して、前記ベース係合構造体と係合されている、請求項１２に記載の断熱コンテナ。
【請求項１４】
前記断熱コンテナは、前記蓋カラーから延在する少なくとも１つの蓋係合構造体をさらに含み、前記蓋係合構造体は、前記蓋内側壁部構造体の中の前記チャネルに対して実質的に垂直の蓋係合構造体チャネルを含み、前記蓋外側壁部の前記フランジは、前記蓋係合チャネルの中に係合されている、請求項１２に記載の断熱コンテナ。
【請求項１５】
ラッチ、ハンドル、およびヒンジのうちの少なくとも１つは、少なくとも１つの機械的な締結具を使用して、前記ベース係合構造体および前記蓋係合構造体と係合されている、請求項１４に記載の断熱コンテナ。
【請求項１６】
ベース断熱構造体および蓋断熱構造体を有する断熱コンテナであって、前記ベース断熱構造体および前記蓋断熱構造体は、閉じられているときに、内部貯蔵コンパートメントを囲み、前記断熱コンテナは、
ベース断熱構造体であって、前記ベース断熱構造体は、
ステンレス鋼から構成されたベース外側シェル構造体、および、ポリエチレンから構成されたベース内側壁部構造体によって囲まれているベース・キャビティーであって、前記ベース内側壁部構造体は、前記ベース断熱構造体の周囲部の周りに延在するベース・カラーを含む、ベース・キャビティー、
前記ベース外側壁部の底部端部と係合されている、ポリエチレンから構成されたエンド・キャップ、ならびに、
前記ベース・キャビティーの中に位置決めされているベース断熱部分であって、前記ベース断熱部分は、断熱フォームの塊によって少なくとも部分的に取り囲まれている、ベース断熱部分
を含む、ベース断熱構造体と、
前記ベース断熱構造体と枢動可能に係合されている蓋断熱構造体であって、前記蓋断熱構造体は、
ステンレス鋼から構成された蓋外側シェル構造体、および、ポリエチレンから構成された蓋内側壁部構造体によって囲まれている蓋キャビティーであって、前記蓋内側壁部構造体は、前記蓋断熱構造体の周囲部の周りに延在する蓋カラーを含む、蓋キャビティー、ならびに、
前記キャビティーの中に位置決めされている蓋断熱部分であって、前記蓋断熱部分は、断熱フォームの塊によって少なくとも部分的に取り囲まれている、蓋断熱部分
を含む、蓋断熱構造体と
を含み、
前記ベース断熱部分および前記蓋断熱部分は、少なくとも１つの真空断熱式パネルをそれぞれ含み、
前記ベース断熱部分は、折り畳み可能な真空断熱式パネルを含み、前記折り畳み可能な真空断熱式パネルは、少なくとも１つの折り畳み可能な部分を有しており、前記折り畳み可能な部分が、前記ベース断熱構造体の少なくとも１つの角部の周りに延在するように折り畳まれるようになっている、断熱コンテナ。
【請求項１７】
前記折り畳まれた真空断熱式パネルの前記折り畳み可能な部分は圧縮され、前記折り畳み可能な部分の厚さが、前記折り畳み可能な真空断熱式パネルの残りの部分の厚さよりも小さくなるようになっている、請求項１６に記載の断熱コンテナ。
【請求項１８】
前記折り畳み可能な真空断熱式パネルは、カット・アウト部分を含む、請求項１７に記載の断熱コンテナ。
【請求項１９】
前記断熱フォームは、ポリウレタンである、請求項１６に記載の断熱コンテナ。
【請求項２０】
ベース断熱構造体および蓋断熱構造体を有する断熱コンテナであって、前記ベース断熱構造体および前記蓋断熱構造体は、閉じられているときに、内部貯蔵コンパートメントを囲み、前記断熱コンテナは、
ベース断熱構造体であって、前記ベース断熱構造体は、
ステンレス鋼から構成されたベース外側シェル構造体、および、ポリエチレンから構成されたベース内側壁部構造体によって囲まれているベース・キャビティーであって、前記ベース内側壁部構造体は、前記ベース断熱構造体の周囲部の周りに延在するベース・カラーを含む、ベース・キャビティー、
前記ベース外側壁部の底部端部と係合されている、ポリエチレンから構成されたエンド・キャップ、
前記ベース・キャビティーの中に位置決めされているベース断熱部分であって、前記ベース断熱部分は、断熱フォームの塊によって少なくとも部分的に取り囲まれている、ベース断熱部分、ならびに、
前記ベース・カラーから延在する少なくとも１つのベース係合構造体であって、前記ベース係合構造体は、前記ベース内側壁部構造体の中の前記チャネルに対して実質的に垂直のベース係合構造体チャネルを含み、前記上部フランジは、前記ベース係合チャネルの中に係合されている、少なくとも１つのベース係合構造体
を含む、ベース断熱構造体と、
前記ベース断熱構造体と枢動可能に係合されている蓋断熱構造体であって、前記蓋断熱構造体は、
ステンレス鋼から構成された蓋外側シェル構造体、および、ポリエチレンから構成された蓋内側壁部構造体によって囲まれている蓋キャビティーであって、前記蓋内側壁部構造体は、前記蓋断熱構造体の周囲部の周りに延在する蓋カラーを含む、蓋キャビティー、ならびに、
前記キャビティーの中に位置決めされている蓋断熱部分であって、前記蓋断熱部分は、断熱フォームの塊によって少なくとも部分的に取り囲まれている、蓋断熱部分
を含む、蓋断熱構造体と
を含み、
前記ベース断熱部分および前記蓋断熱部分は、少なくとも１つの真空断熱式パネルをそれぞれ含み、
前記ベース外側壁部は、上部フランジおよび底部フランジをさらに含み、前記上部フランジは、前記ベース内側壁部構造体の中のチャネルの中に係合されており、前記底部フランジは、前記エンド・キャップの中のチャネルの中に係合されており、
前記蓋外側壁部は、フランジをさらに含み、前記フランジは、前記蓋カラーの中のチャネルの中に係合されている、断熱コンテナ。
【請求項２１】
ラッチ、ハンドル、およびヒンジのうちの少なくとも１つが、少なくとも１つの機械的な締結具を使用して、前記ベース係合構造体と係合されており、前記機械的な締結具は、前記ベース係合構造体および前記ベース外側壁部を通過している、請求項１２に記載の断熱コンテナ。
【発明の詳細な説明】
【技術分野】
【０００１】
関連出願との相互参照
本出願は、２０１７年５月１６日に出願された米国特許出願第１５／５９６，７４７号の優先権を主張する。米国特許出願第１５／５９６，７４７号は、２０１６年１１月２３日に出願された国際出願第ＰＣＴ／ＵＳ２０１６／０６３６５８号の一部継続出願であり、それは、２０１５年１１月２５日に出願された米国仮出願第６２／２５９，８７９号の優先権を主張する。本出願は、上記に特定された出願の利益を主張し、それは、任意のおよびすべての非限定的な目的のために、その全体が明示的に参照により本明細書に組み込まれている。
【背景技術】
【０００２】
断熱コンテナは、１つまたは複数の表面を通る熱伝達率を低減させ、断熱コンテナの貯蔵コンパートメントの中のアイテムを冷温に維持するように構成され得る。断熱コンテナは、ポリマーから成形され得り、また、１つまたは複数のキャビティーを含むことが可能であり、１つまたは複数のキャビティーは、フォームなどのような追加的な断熱材料によって充填されるように構成されている。しかし、増加した熱抵抗および／または増加した貯蔵容量を提供することができる断熱コンテナに対する必要性が存在している。この開示の態様は、改善された断熱コンテナ、および、断熱コンテナの生産のための方法に関する。
【発明の概要】
【０００３】
１つの態様によれば、少なくとも１つの真空断熱式パネルを有する断熱コンテナが開示されている。別の態様によれば、少なくとも１つの真空断熱式パネルを有する断熱コンテナを作製する方法が開示されている。
【０００４】
別の態様によれば、断熱コンテナが開示されている。断熱コンテナは、ベース断熱構造体および蓋断熱構造体を含むことが可能であり、ベース断熱構造体および蓋断熱構造体は、閉じられているときに、内部貯蔵コンパートメントを囲む。ベース断熱構造体は、外側面を有する少なくとも１つのサイド断熱構造体を含むことが可能であり、外側面は、真空断熱式パネルを含有する断熱コンポーネントの表面を含むか、またはそれと同一の広がりを持つ。
【０００５】
別の態様によれば、断熱コンテナは、ベース断熱構造体および蓋断熱構造体を含むことが可能であり、ベース断熱構造体および蓋断熱構造体は、閉じられているときに、内部貯蔵コンパートメントを囲む。ベース断熱構造体は、少なくとも１つのサイド断熱構造体と、底部断熱構造体とを含むことが可能である。蓋断熱構造体および底部断熱構造体のそれぞれは、少なくとも１つの真空断熱式パネルを含むことが可能である。蓋断熱構造体は、第１のキャビティーを有する第１のリテイニング部分と、第１のキャビティーの中に配設されている第１の断熱部分と、第１のカバーとをさらに含むことが可能であり、第１のカバーは、第１のキャビティーおよび第１の断熱部分を囲む。少なくとも１つのサイド断熱構造体は、内部キャビティーをさらに含むことが可能である。底部断熱構造体は、第２のキャビティーを有する第２のリテイニング部分と、第２のキャビティーの中に配設されている第２の断熱部分と、第２のカバーとをさらに含むことが可能であり、第２のカバーは、第２のキャビティーおよび第２の断熱部分を囲む。第１および第２の断熱部分のそれぞれは、少なくとも１つの真空断熱式パネルを含むことが可能である。
【０００６】
別の態様によれば、断熱コンテナを製造する方法が開示されている。方法は、ポリマーから蓋断熱構造体を成形するステップを含むことが可能であり、蓋断熱構造体は、第１のキャビティーを有するリテイニング部分を含むことが可能である。方法は、ポリマーからベース断熱構造体を成形するステップを含むことが可能であり、ベース断熱構造体は、内部キャビティーを有する少なくとも１つのサイド断熱構造体と、第２のキャビティーを有する第２のリテイニング部分を有する底部断熱構造体とを含むことが可能である。また、方法は、第１の断熱部分を第１のキャビティーの中へ挿入するステップと、第１のカバー部分を第１のリテイニング部分と係合させ、第１のキャビティーおよび第１の断熱部分を囲むステップと、第２の断熱部分を第２のキャビティーの中へ挿入するステップと、第２のカバー部分を第２のリテイニング部分と係合させ、第２のキャビティーおよび第２の断熱部分を囲むステップとを含むことが可能である。第１および第２の断熱部分のそれぞれは、少なくとも１つの真空断熱式パネルを含むことが可能である。
【０００７】
別の態様によれば、断熱コンテナが開示されている。断熱コンテナは、ベース断熱構造体および蓋断熱構造体を含むことが可能であり、ベース断熱構造体および蓋断熱構造体は、閉じられているときに、内部貯蔵コンパートメントを囲む。ベース断熱構造体は、少なくとも１つのサイド断熱構造体をさらに含むことが可能であり、少なくとも１つのサイド断熱構造体は、第１のキャビティーを備えた第１のリテイニング部分と、第１のキャビティーの中に位置決めされている第１の断熱部分と、第１のキャビティーおよび第１の断熱部分を囲む第１のカバー部分とを有している。ベース断熱構造体は、底部断熱構造体を追加的に含むことが可能であり、底部断熱構造体は、第２のキャビティーを備えた第２のリテイニング部分と、第２のキャビティーの中に位置決めされている第２の断熱部分と、第２のキャビティーおよび第２の断熱部分を囲む第２のカバー部分とを有している。蓋断熱構造体は、第３のキャビティーを備えた第３のリテイニング部分と、第３のキャビティーの中に位置決めされている第３の断熱部分と、第３のキャビティーおよび第３の断熱部分を囲む第３のカバー部分とをさらに含むことが可能である。さらに、第１の、第２の、および第３の断熱部分は、少なくとも１つの真空断熱式パネルを含むことが可能である。追加的に、第１の、第２の、および第３のカバー部分は、第１の、第２の、および第３のリテイニング部分にそれぞれ連結され得り、内部貯蔵コンパートメントの内側壁部を形成することが可能である。
【０００８】
別の態様によれば、断熱コンテナが開示されており、断熱コンテナは、ベース断熱構造体および蓋断熱構造体を含むことが可能であり、ベース断熱構造体および蓋断熱構造体は、内部貯蔵コンパートメントを囲む。ベース断熱構造体は、キャビティーを含むことが可能であり、キャビティーは、外側シェル構造体および内側壁部構造体によって囲まれている。断熱部分は、キャビティーの中に位置決めされ得り、断熱フォームの塊によって少なくとも部分的に取り囲まれ得る。さらに、断熱部分は、少なくとも１つの真空断熱式パネルを含むことが可能である。
【０００９】
別の態様によれば、断熱コンテナを製造する方法が開示されている。方法は、蓋断熱構造体およびベース断熱構造体を成形するステップを含むことが可能である。成形するステップは、第１の断熱部分の周りにポリマー・フォームを成形し、ベース・コア構造体を形成するステップと、第２の断熱部分の周りにポリマー・フォームを成形し、蓋コア構造体を形成するステップとをさらに含むことが可能である。さらに、成形するステップは、ベース・コア構造体の少なくとも一部分の周りに第１の外側シェルを回転成形し、ベース断熱構造体を形成するステップと、蓋コア構造体の少なくとも一部分の周りに第２の外側シェルを回転成形し、蓋断熱構造体を形成するステップとを含むことが可能である。さらに、第１および第２の断熱部分は、少なくとも１つの真空断熱式パネルを含むことが可能である。
【００１０】
別の態様によれば、ベース断熱構造体および蓋断熱構造体を有する断熱コンテナであって、ベース断熱構造体および蓋断熱構造体は、閉じられているときに、内部貯蔵コンパートメントを囲む、断熱コンテナが開示されている。ベース断熱構造体は、ベース外側シェル構造体およびベース内側壁部構造体によって囲まれているベース・キャビティーであって、ベース内側壁部構造体は、ベース断熱構造体の周囲部の周りに延在するベース・カラーを含む、ベース・キャビティーと、ベース・キャビティーの中に位置決めされているベース断熱部分であって、ベース断熱部分は、断熱フォームの塊によって少なくとも部分的に取り囲まれている、ベース断熱部分とを含むことが可能である。蓋断熱構造体は、ベース断熱構造体と枢動可能に係合され得り、蓋断熱構造体は、蓋外側シェル構造体および蓋内側壁部構造体によって囲まれている蓋キャビティーであって、蓋内側壁部構造体は、蓋断熱構造体の周囲部の周りに延在する蓋カラーを含む、蓋キャビティーと、キャビティーの中に位置決めされている蓋断熱部分であって、蓋断熱部分は、断熱フォームの塊によって少なくとも部分的に取り囲まれている、蓋断熱部分とを含むことが可能である。ベース断熱部分および蓋断熱部分のうちの少なくとも１つは、少なくとも１つの真空断熱式パネルを含む。
【００１１】
ベース断熱部分は、第１の側壁部真空断熱式パネル、第２の側壁部真空断熱式パネル、および、３ピースの真空断熱式パネルを含むことが可能である。３ピースの真空断熱式パネルは、折り畳み可能な断熱パネルを含むことが可能であり、折り畳み可能な断熱パネルは、２つの折り畳み可能な部分を有しており、折り畳み可能な断熱部分が、ベース断熱構造体の２つの角部の周りに延在するように折り畳まれるようになっている。３ピースの真空断熱式パネルは、１つの真空断熱式パネルを含むことが可能である。断熱コンテナの２つの折り畳み可能な部分は圧縮され得り、２つの折り畳み可能な部分の厚さが、３ピースの真空断熱式パネルの残りの部分の厚さよりも小さくなるようになっている。３ピースの真空断熱式パネルは、カット・アウト部分を含むことが可能である。蓋断熱部分は、１つの真空断熱式パネルを含むことが可能である。蓋断熱部分は、カット・アウト部分を含むことが可能である。
【００１２】
また、断熱コンテナは、エンド・キャップを含むことが可能であり、エンド・キャップは、ベース外側シェル構造体の底部端部と係合されている。
【００１３】
ベース外側シェル構造体は、上部フランジおよび底部フランジを含むことが可能であり、上部フランジは、ベース内側壁部構造体の中のチャネルの中に係合されており、底部フランジは、エンド・キャップの中のチャネルの中に係合されている。蓋外側シェル構造体は、フランジを含むことが可能であり、フランジは、蓋カラーの中のチャネルの中に係合されている。
【００１４】
また、断熱コンテナは、ベース・カラーから延在する少なくとも１つのベース係合構造体を含むことが可能であり、ベース係合構造体は、ベース内側壁部構造体の中のチャネルに対して実質的に垂直のベース係合構造体チャネルを含み、上部フランジは、ベース係合チャネルの中に係合されている。ラッチ、ハンドル、およびヒンジのうちの少なくとも１つが、少なくとも１つの機械的な締結具を使用して、ベース係合構造体と係合されている。
【００１５】
断熱コンテナは、蓋カラーから延在する少なくとも１つの蓋係合構造体を含むことが可能であり、蓋係合構造体は、蓋内側壁部構造体の中のチャネルに対して実質的に垂直の蓋係合構造体チャネルを含み、蓋外側壁部のフランジは、蓋係合チャネルの中に係合されている。ラッチ、ハンドル、およびヒンジのうちの少なくとも１つは、少なくとも１つの機械的な締結具を使用して、ベース係合構造体および蓋係合構造体と係合され得る。
【００１６】
別の態様によれば、ベース断熱構造体および蓋断熱構造体を有する断熱コンテナであって、ベース断熱構造体および蓋断熱構造体は、閉じられているときに、内部貯蔵コンパートメントを囲む、断熱コンテナが開示されている。ベース断熱構造体は、ステンレス鋼から構成されたベース外側シェル構造体、および、ポリエチレンから構成されたベース内側壁部構造体によって囲まれているベース・キャビティーであって、ベース内側壁部構造体は、ベース断熱構造体の周囲部の周りに延在するベース・カラーを含む、ベース・キャビティーと、ベース外側壁部の底部端部と係合されている、ポリエチレンから構成されたエンド・キャップと、ベース・キャビティーの中に位置決めされているベース断熱部分であって、ベース断熱部分は、断熱フォームの塊によって少なくとも部分的に取り囲まれている、ベース断熱部分とを含むことが可能である。蓋断熱構造体は、ベース断熱構造体と枢動可能に係合され得り、蓋断熱構造体は、ステンレス鋼から構成された蓋外側シェル構造体、および、ポリエチレンから構成された蓋内側壁部構造体によって囲まれている蓋キャビティーであって、蓋内側壁部構造体は、蓋断熱構造体の周囲部の周りに延在する蓋カラーを含む、蓋キャビティーと、キャビティーの中に位置決めされている蓋断熱部分であって、蓋断熱部分は、断熱フォームの塊によって少なくとも部分的に取り囲まれている、蓋断熱部分とを含むことが可能である。ベース断熱部分および蓋断熱部分は、少なくとも１つの真空断熱式パネルをそれぞれ含むことが可能であり、ベース断熱部分は、折り畳み可能な真空断熱式パネルを含むことが可能であり、折り畳み可能な真空断熱式パネルは、少なくとも１つの折り畳み可能な部分を有しており、折り畳み可能な部分が、ベース断熱構造体の少なくとも１つの角部の周りに延在するように折り畳まれるようになっている。断熱フォームは、ポリウレタンであることが可能である。
【００１７】
折り畳まれた真空断熱式パネルの折り畳み可能な部分は圧縮され得り、折り畳み可能な部分の厚さが、折り畳み可能な真空断熱式パネルの残りの部分の厚さよりも小さくなるようになっている。折り畳み可能な真空断熱式パネルは、カット・アウト部分を含むことが可能である。
【００１８】
別の態様では、ベース断熱構造体および蓋断熱構造体を有する断熱コンテナであって、ベース断熱構造体および蓋断熱構造体は、閉じられているときに、内部貯蔵コンパートメントを囲む、断熱コンテナが開示されている。ベース断熱構造体は、ステンレス鋼から構成されたベース外側シェル構造体、および、ポリエチレンから構成されたベース内側壁部構造体によって囲まれているベース・キャビティーであって、ベース内側壁部構造体は、ベース断熱構造体の周囲部の周りに延在するベース・カラーを含む、ベース・キャビティーと、ベース外側壁部の底部端部と係合されている、ポリエチレンから構成されたエンド・キャップと、ベース・キャビティーの中に位置決めされているベース断熱部分であって、ベース断熱部分は、断熱フォームの塊によって少なくとも部分的に取り囲まれている、ベース断熱部分と、ベース・カラーから延在する少なくとも１つのベース係合構造体であって、ベース係合構造体は、ベース内側壁部構造体の中のチャネルに対して実質的に垂直のベース係合構造体チャネルを含み、上部フランジは、ベース係合チャネルの中に係合されている、少なくとも１つのベース係合構造体とを含むことが可能である。蓋断熱構造体は、ベース断熱構造体と枢動可能に係合され得り、蓋断熱構造体は、ステンレス鋼から構成された蓋外側シェル構造体、および、ポリエチレンから構成された蓋内側壁部構造体によって囲まれている蓋キャビティーであって、蓋内側壁部構造体は、蓋断熱構造体の周囲部の周りに延在する蓋カラーを含む、蓋キャビティーと、キャビティーの中に位置決めされている蓋断熱部分であって、蓋断熱部分は、断熱フォームの塊によって少なくとも部分的に取り囲まれている、蓋断熱部分とを含むことが可能である。ベース断熱部分および蓋断熱部分は、少なくとも１つの真空断熱式パネルをそれぞれ含むことが可能である。ベース外側壁部は、上部フランジおよび底部フランジをさらに含むことが可能であり、上部フランジは、ベース内側壁部構造体の中のチャネルの中に係合されており、底部フランジは、エンド・キャップの中のチャネルの中に係合されている。蓋外側壁部は、フランジをさらに含むことが可能であり、フランジは、蓋カラーの中のチャネルの中に係合されている。ラッチ、ハンドル、およびヒンジのうちの少なくとも１つが、少なくとも１つの機械的な締結具を使用して、ベース係合構造体と係合され得り、機械的な締結具は、ベース係合構造体およびベース外側壁部のすべてを通過している。
【００１９】
この概要は、簡単化された形態で概念の選択を導入するために提供されており、それは、詳細な説明の中でさらに下記に説明されている。本概要は、特許請求されている主題の重要な特徴または本質的な特徴を識別することは意図しておらず、また、特許請求されている主題の範囲を限定するために使用されることも意図していない。
【図面の簡単な説明】
【００２０】
本開示は、例として図示されており、添付の図の中で限定されていない。添付の図において、同様の参照番号は、同様のエレメントを示している。
【００２１】
【図１】本明細書で説明されている１つまたは複数の態様による断熱コンテナの例の等角図である。
【図２Ａ】本明細書で説明されている１つまたは複数の態様による断熱コンポーネントを概略的に示す図である。
【図２Ｂ】本明細書で説明されている１つまたは複数の態様による断熱コンポーネントを概略的に示す図である。
【図２Ｃ】本明細書で説明されている１つまたは複数の態様による断熱コンポーネントを概略的に示す図である。
【図３Ａ】本明細書で説明されている１つまたは複数の態様による断熱コンポーネントを概略的に示す図である。
【図３Ｂ】本明細書で説明されている１つまたは複数の態様による断熱コンポーネントを概略的に示す図である。
【図４Ａ】本明細書で説明されている１つまたは複数の態様によるベース断熱構造体を概略的に示す図である。
【図４Ｂ】本明細書で説明されている１つまたは複数の態様によるベース断熱構造体を概略的に示す図である。
【図４Ｃ】本明細書で説明されている１つまたは複数の態様によるベース断熱構造体を概略的に示す図である。
【図５Ａ】本明細書で説明されている１つまたは複数の態様による１つまたは複数の真空断熱式パネルを含む断熱部分を概略的に示す図である。
【図５Ｂ】本明細書で説明されている１つまたは複数の態様による１つまたは複数の真空断熱式パネルを含む断熱部分を概略的に示す図である。
【図５Ｃ】本明細書で説明されている１つまたは複数の態様による１つまたは複数の真空断熱式パネルを含む断熱部分を概略的に示す図である。
【図５Ｄ】本明細書で説明されている１つまたは複数の態様による１つまたは複数の真空断熱式パネルを含む断熱部分を概略的に示す図である。
【図５Ｅ】本明細書で説明されている１つまたは複数の態様による１つまたは複数の真空断熱式パネルを含む断熱部分を概略的に示す図である。
【図５Ｆ】本明細書で説明されている１つまたは複数の態様による１つまたは複数の真空断熱式パネルを含む断熱部分を概略的に示す図である。
【図５Ｇ】本明細書で説明されている１つまたは複数の態様による１つまたは複数の真空断熱式パネルを含む断熱部分を概略的に示す図である。
【図５Ｈ】本明細書で説明されている１つまたは複数の態様による１つまたは複数の真空断熱式パネルを含む断熱部分を概略的に示す図である。
【図６】本明細書で説明されている１つまたは複数の態様による断熱コンテナのベース断熱構造体の等角分解図を概略的に示す図である。
【図７Ａ】本明細書で説明されている１つまたは複数の態様によるベース断熱構造体の三角法正投影図を概略的に示す図である。
【図７Ｂ】本明細書で説明されている１つまたは複数の態様によるベース断熱構造体の三角法正投影図を概略的に示す図である。
【図７Ｃ】本明細書で説明されている１つまたは複数の態様によるベース断熱構造体の三角法正投影図を概略的に示す図である。
【図７Ｄ】本明細書で説明されている１つまたは複数の態様によるベース断熱構造体の三角法正投影図を概略的に示す図である。
【図８】本明細書で説明されている１つまたは複数の態様による断熱部分を有するベース断熱構造体の等角分解図を概略的に示す図である。
【図９】本明細書で説明されている１つまたは複数の態様によるベース断熱構造体の実装形態の正面断面図を概略的に示す図である。
【図１０】本明細書で説明されている１つまたは複数の態様によるベース断熱構造体の実装形態の別の正面断面図を概略的に示す図である。
【図１１Ａ】本明細書で説明されている１つまたは複数の態様によるベース断熱構造体の別の実装形態の断面図を概略的に示す図である。
【図１１Ｂ】本明細書で説明されている１つまたは複数の態様によるベース断熱構造体の別の実装形態の断面図を概略的に示す図である。
【図１２】本明細書で説明されている１つまたは複数の態様による折り畳み可能な断熱部分の１つの実装形態を概略的に示す図である。
【図１３】本明細書で説明されている１つまたは複数の態様による折り畳み可能な断熱部分の別の実装形態を概略的に示す図である。
【図１４Ａ】本明細書で説明されている１つまたは複数の態様による折り畳み可能な断熱部分の別の実装形態の端面図を概略的に示す図である。
【図１４Ｂ】本明細書で説明されている１つまたは複数の態様による折り畳み可能な断熱部分の別の実装形態の端面図を概略的に示す図である。
【図１５Ａ】本明細書で説明されている１つまたは複数の態様による折り畳み可能な断熱部分の別の実装形態の端面図を概略的に示す図である。
【図１５Ｂ】本明細書で説明されている１つまたは複数の態様による折り畳み可能な断熱部分の別の実装形態の端面図を概略的に示す図である。
【図１６】本明細書で説明されている１つまたは複数の態様による断熱コンテナの実装形態の分解図を概略的に示す図である。
【図１７】本明細書で説明されている１つまたは複数の態様による断熱コンテナの別の実装形態の分解図を概略的に示す図である。
【図１８】本明細書で説明されている１つまたは複数の態様による断熱コンテナの別の実装形態の分解図を概略的に示す図である。
【図１９】本明細書で説明されている１つまたは複数の態様による断熱コンテナの別の実装形態の分解図を概略的に示す図である。
【図２０】本明細書で説明されている１つまたは複数の態様による断熱コンテナの別の実装形態の分解図を概略的に示す図である。
【図２１】本明細書で説明されている１つまたは複数の態様による、蓋が開位置にある状態の断熱コンテナの例の等角図である。
【図２２】本明細書で説明されている１つまたは複数の態様による、蓋が閉位置にある状態の図２１の断熱コンテナの等角図である。
【図２３】本明細書で説明されている１つまたは複数の態様による図２２の断熱コンテナの側面図である。
【図２４】本明細書で説明されている１つまたは複数の態様による図２２の断熱コンテナの側断面図である。
【図２５Ａ】本明細書で説明されている１つまたは複数の態様による断熱コンテナのコンポーネントの等角図である。
【図２５Ｂ】本明細書で説明されている１つまたは複数の態様による断熱コンテナのコンポーネントの等角図である。
【図２５Ｃ】本明細書で説明されている１つまたは複数の態様による断熱コンテナのコンポーネントの等角図である。
【図２６Ａ】本明細書で説明されている１つまたは複数の態様による断熱コンテナのコンポーネントの等角図である。
【図２６Ｂ】本明細書で説明されている１つまたは複数の態様による断熱コンテナのコンポーネントの等角図である。
【図２７Ａ】本明細書で説明されている１つまたは複数の態様による断熱コンテナのコンポーネントの等角図である。
【図２７Ｂ】本明細書で説明されている１つまたは複数の態様による断熱コンテナのコンポーネントの等角図である。
【図２７Ｃ】本明細書で説明されている１つまたは複数の態様による断熱コンテナのコンポーネントの等角図である。
【図２７Ｄ】本明細書で説明されている１つまたは複数の態様による断熱コンテナのコンポーネントの等角図である。
【図２８Ａ】本明細書で説明されている１つまたは複数の態様による断熱コンテナの一部分の等角図である。
【図２８Ｂ】本明細書で説明されている１つまたは複数の態様による断熱コンテナの一部分の側断面図である。
【図２９Ａ】本明細書で説明されている１つまたは複数の態様による断熱コンテナの一部分の側断面図である。
【図２９Ｂ】本明細書で説明されている１つまたは複数の態様による断熱コンテナの一部分の等角図である。
【図３０Ａ】本明細書で説明されている１つまたは複数の態様による断熱コンテナの一部分の等角図である。
【図３０Ｂ】本明細書で説明されている１つまたは複数の態様による図３０Ｂの断熱コンテナの一部分の側断面図である。
【図３０Ｃ】本明細書で説明されている１つまたは複数の態様による断熱コンテナの一部分の側断面図である。
【発明を実施するための形態】
【００２２】
さらに、図面は、単一の実施形態の異なるコンポーネントのスケールを表している可能性があるが、しかし、開示されている実施形態は、その特定のスケールに限定されないということが理解されるべきである。
【００２３】
例示的な実施形態が、図面に示されており、本開示が例証として考慮されるべきであるという理解とともに本明細書で詳細に説明されることとなり、また、それは、図示されている実施形態に限定されることを意図していない。他の実施形態も利用され得り、構造的なおよび機能的な修正が、本開示の範囲および精神から逸脱することなく行われ得るということが理解されるべきである。
【００２４】
さまざまな実施形態の以下の説明において、添付の図面が参照され、図面は、説明の一部を形成しており、図面には、実践され得る本開示のさまざまな実施形態が、図示として示されている。他の実施形態も利用され得るということが理解されるべきである。
【００２５】
さまざまな例示的な構造体の以下の説明において、添付の図面が参照されており、図面は、説明の一部を形成しており、図面には、本明細書での本開示の態様が実践され得るさまざまな例示的なデバイス、システム、および環境が、図示として示されている。他のパーツの特定の配置、例示的なデバイス、システム、および環境が利用され得り、構造的なおよび機能的な修正が、本開示の範囲から逸脱することなく行われ得るということが理解されるべきである。また、「上部」、「底部」、「正面」、「裏面」、「サイド」、「後方」、「上向き」、および「下向き」などのような用語は、さまざまな例示的な特徴およびエレメントを説明するために、この明細書の中で使用されている可能性があるが、これらの用語は、たとえば、図に示されている例示的な配向、または、典型的な使用の間の配向に基づいて、便宜上、本明細書において使用されている。追加的に、本明細書で使用されているように、「複数の」という用語は、論理和的または論理積的のいずれかで、必要に応じて、無限数までの１つよりも大きい任意の数を示している。本明細書の中のいずれも、これらの開示の範囲の中に入るために、構造体の特定の３次元の配向を必要とするものとして解釈されるべきではない。また、読者は、添付された図面は必ずしも正しい縮尺で描かれているわけではないということを知らされる。
【００２６】
一般的に、この開示の態様は、１つまたは複数の真空断熱式パネルを有することが可能である断熱コンテナまたはデバイスの生産のためのシステムおよび方法に関する。さまざまな態様および実施形態によれば、断熱コンテナは、金属（金属合金を含む）、プラスチック、ポリマー、および複合材などのような、さまざまな材料のうちの１つまたは複数から形成され得り、また、これらの開示の範囲から逸脱することなく、さまざまな構成のうちの１つの中に形成され得る。
【００２７】
本願の中のさまざまな図は、この開示による断熱コンテナ／構造体の例を図示している。同じ参照数字が２つ以上の図面の中に出現するときには、その参照数字は、この明細書の中で一貫して使用されており、図面は、全体を通して同じまたは同様のパーツを表している。
【００２８】
図１は、本明細書で説明されている１つまたは複数の態様による断熱コンテナ１００の１つの例の等角図を示す。とりわけ、断熱コンテナ１００は、「クーラー」デバイスとして説明され得り、蓋上側面１０６を備えた蓋断熱構造体１０２と、ベース断熱構造体１０４とを有しており、ベース断熱構造体１０４は、それぞれのサイド外側面１０８ａ、１０８ｂ、１０８ｃ、１０８ｄ（図４Ａも参照）を備えたサイド断熱構造体４７５（図４Ｂ、図４Ｃを参照）と、底部外側面４５５を備えた底部断熱構造体４６５（図４Ｂ、図４Ｃを参照）とを含む。蓋断熱構造体１０２は、閉じられるときに、ベース断熱構造体１０４（サイド断熱構造体４７５および底部断熱構造体４６５を含む）とともに、内部貯蔵コンパートメント４４５を囲む（図４Ａ〜図４Ｃを参照）。１つの例では、断熱コンテナ１００は、蓋断熱構造体１０２、サイド断熱構造体４７５、および底部断熱構造体４６５のさまざまな特徴のおかげで（より詳細に下記に議論されている）、内部貯蔵コンパートメント４４５への／からの熱伝達率を低減させるように構成され得る。１つの例では、蓋断熱構造体１０２は、（たとえば、蓋断熱構造体１０２およびベース断熱構造体１０４のそれぞれの嵌合縁部１０５、１０７に沿って）ベース断熱構造体１０４に対してヒンジ接続され、内部貯蔵コンパートメント４４５を囲むか、または、内部貯蔵コンパートメント４４５へのアクセスを可能にするかのいずれかを行うことが可能である。
【００２９】
断熱コンテナ１００は、コンテナ１００の熱抵抗を増加させるように構成された１つまたは複数の構造エレメントを有することが可能である。そうであるので、断熱コンテナ１００、または、断熱コンテナのエレメントは、たとえば、回転成形（ロトモールディング）プロセスを使用して、１つまたは複数のポリマーから成形され得る。このように、断熱コンテナ１００の耐荷重性構造体は、１つまたは複数の成形ポリマーから形成され得る。１つの例では、断熱コンテナ１００の構造エレメントを形成するために１つまたは複数のポリマーを利用することは、たとえば、金属または合金と比較されるときに、ポリマーによって示される比較的により高い熱伝導抵抗特性の利点を提供することが可能である。蓋断熱構造体１０２およびベース断熱構造体１０４（サイド断熱構造体４７５および底部断熱構造体４６５を含む）のいずれかは、１つのタイプのポリマーから、または、（たとえば、個別のポリマー層のケースでは）異なる領域の中の異なるタイプのポリマーから、または、（たとえば、均質に分散したポリマーのケースでは）異なるポリマーのブレンドから成形され得る。同様に、断熱構造体１０２およびベース断熱構造体１０４（サイド断熱構造体４７５および底部断熱構造体４６５を含む）の任意のエレメント（たとえば、内側壁部、外側壁部、上部壁部、および底部壁部）は、より詳細に下記に説明されているように、１つのタイプのポリマーから、または、（たとえば、個別のポリマー層のケースでは）異なる領域の中の異なるタイプのポリマーから、または、（たとえば、均質に分散したポリマーのケースでは）異なるポリマーのブレンドから成形され得る。
【００３０】
１つの実装形態では、断熱コンテナ１００は、改善された熱抵抗を実現するために本明細書で説明されているシステムおよび方法とともに利用され得るデバイスの１つの例を表すことが可能である。そうであるので、断熱コンテナ１００のさまざまな示された幾何学的な特徴に加えて、断熱コンテナ１００の寸法は、具体的ではない。本明細書で説明されているシステムおよび方法は、追加的な断熱材料によって部分的にまたは完全に充填されるように構成された１つまたは複数の内部キャビティーを有する任意の断熱デバイス構造体とともに利用され得る。
【００３１】
図２Ａ〜図２Ｃは、断熱コンポーネント２０１を概略的に示しており、断熱コンポーネント２０１は、蓋断熱構造体１０２およびベース断熱構造体１０４（サイド断熱構造体４７５および底部断熱構造体４６５を含む）のうちの任意の１つ、任意の組み合わせ、またはすべてとともに使用され得る。断熱コンポーネント２０１とともに、これらの断熱構造体のうちの１つ、いくつか、またはすべてを使用することは、このコンポーネントが断熱構造体の内部にあるということを表しており、または、そうでなければ、断熱構造体が、より詳細に下記に説明されているように、断熱コンポーネント２０１の表面のすべてもしくは一部分を含む表面を有するか、または、断熱コンポーネント２０１の表面のすべてもしくは一部分と同一の広がりを持つ表面を有するということを表している。図２Ａは、断熱コンポーネント２０１のエレメントの分解図を示しており、図２Ｂは、図２Ａに示されている断熱コンポーネント２０１の組み立てられたエレメントの断面図を示している。１つの例では、断熱コンポーネント２０１は、改善された熱抵抗を実現するための本明細書で説明されているシステムおよび方法とともに利用され得る。断熱コンポーネント２０１は、図１に示されている断熱コンテナ１００の蓋断熱構造体１０２の中で使用され得る。
【００３２】
１つの例では、図２Ａ〜図２Ｃに示されているように、断熱コンポーネント２０１は、リテイニング部分２０５と、カバー部分２２４と、断熱部分６１５とを含むことが可能であり、断熱部分６１５は、リテイニング部分２０５とカバー部分２２４との間に配設されている。リテイニング部分２０５は、４つの側壁部２１０と、底部壁部２１２とを含むことが可能であり、それらは、キャビティー２１４を形成している。側壁部２１０および底部壁部２１２は、それぞれのリテイニング部分外側表面２１１およびリテイニング部分底部表面２１３を形成することが可能である（図２Ｃを参照）。１つの具体的な例では、および、全体として断熱コンテナ１００と同様に、断熱コンポーネント２０１、または、そのエレメントのいずれかは、ポリエチレンから成形され得る。別の例では、断熱コンポーネント２０１、または、そのエレメントのいずれかは、ポリウレタンから成形され得る。いくつかの実施形態では、断熱コンポーネント２０１のすべてのエレメントは、同じタイプのポリマーから成形され得る。他の実施形態では、断熱コンポーネント２０１の異なるエレメントは、異なるポリマーから成形され得る。
【００３３】
より詳細に下記に議論されているように、断熱部分６１５は、たとえば、図５Ａ〜図５Ｈに示されている構成およびより詳細に下記に議論されている構成のいずれかの中に、１つまたは複数の真空断熱式パネル６２５を含むことが可能である。断熱部分６１５は、キャビティー２１４の中にフィットするようにサイズ決めされ得り、断熱部分６１５が断熱コンポーネント２０１の中に含有され得るようになっている。追加的にまたは代替的に、断熱部分６１５は、断熱フォームの塊を含むことが可能であり、断熱フォームの塊は、断熱部分６１５の中のキャビティーを部分的にまたは完全に充填している。
【００３４】
図２Ａ〜図２Ｃに示されているように、カバー部分２２４は、断熱部分６１５の上方に配設され得り、キャビティー２１４の中に断熱部分６１５を固定することが可能である。いくつかの実施形態では、カバー部分２２４は、蓋の上側面１０６に対応することが可能である。また、断熱部分６１５は、カバー部分２２４の代替として、または、カバー部分２２４に加えて、接着剤、テープ、または他のデバイスを使用して、キャビティー２１４の中に固定され得る。図２Ｂに示されているように、カバー部分２２４は、リテイニング部分２０５の内側表面２１６（たとえば、側壁部２１０の内側表面に対応する）に当接し、および／または結合され得る。他の実施形態では、たとえば図２Ｃに示されているように、カバー部分２２４は、リテイニング部分２０５の上部表面２１８（たとえば、側壁部２１０の上部表面に対応する）に当接し、および／または結合され得る。カバー部分２２４が内側表面２１６に当接するケースでは、カバー部分上部表面２０７（図２Ｃを参照）およびリテイニング部分２０５の（または、その側壁部２１０）の上部表面２１８は、実質的に同一平面上にあることが可能である。カバー部分２２４が上部表面２１８に当接するケースでは、カバー部分サイド表面２０９およびリテイニング部分２０５（または、その側壁部２１０）の外側表面２１１は、実質的に同一平面上にあることが可能である。図２Ｃの左手側の点線によって示されているように、カバー部分２２４は、リテイニング部分２０５（または、その側壁部２１０）の内側表面２１６および上部表面２１８の両方に当接することが可能である。
【００３５】
カバー部分２２４は、たとえば、接着剤を含む化学結合剤を使用すること、スクリュー、リベット、またはインターフェレンス・フィッティングを含む機械的な締結具を使用すること、および／または、低融点ポリマーなどのような別個の結合剤ありのまたはなしの（たとえば、溶融させることによる）熱結合を使用することを含む、適切な任意の手段によって、リテイニング部分２０５に締結され得る。たとえば、カバー部分２２４は、カバー部分２２４をリテイニング部分２０５に溶接することまたはプラスチック溶接することによって、リテイニング部分２０５に取り付けられ得る。いくつかの例では、カバー部分とリテイニング部分２０５との間の係合は、水密シールを提供することが可能であり、有利には、液体がキャビティー２１４および／または断熱部分６１５に進入すること（それは、断熱部分６１５の効率、および、断熱コンテナ１００の全体的な性能を低減させる可能性がある）を防止する。１つの具体的な例では、このシールは、カバー部分２２４の周囲部の周りに延在するガスケット・エレメントを含むことが可能である。任意のガスケット設計（とりわけ、Ｃ字形状のガスケット）が、これらの開示の範囲から逸脱することなく利用され得るということが企図される。１つの実装形態では、カバー部分２２４とリテイニング部分２０５との間の連結はリジッドであることが可能であり、または、これらの開示の範囲から逸脱することなく除去可能であり得る。
【００３６】
カバー部分２２４は、任意の適切な材料から製造され得る。いくつかの例では、カバー部分２２４は、ステンレス鋼などのような金属、プラスチック、および、たとえば炭素繊維を含む複合材から製造され得る。いくつかの例では、カバー部分２２４およびリテイニング部分２０５は、たとえば、ロトモールディングを通して、単一のピースとして成形され得り、他の例では、カバー部分２２４およびリテイニング部分２０５は、別個のピースとして成形され得る。いくつかの例では、断熱部分６１５は、成形プロセス、たとえば、ロトモールディング・プロセスの間に、断熱コンポーネント２０１のキャビティー２１４の中に含まれ得る。さらなる他の例では、カバー部分２２４およびリテイニング部分２０５は、断熱部分６１５がキャビティー２１４の中に含まれることなく、単一のピースとして成形され得る。そのようなプロセスにおいて、カバー部分２２４は、たとえば、カッティングによって除去され得り、断熱部分６１５がキャビティー２１４の中へ挿入されることを可能にし、上記に議論されているように、カバー部分２２４とリテイニング部分２０５との再係合がその後に続く。
【００３７】
図３Ａおよび図３Ｂに示されているように、リテイニング部分３０５、カバー部分３２４、および断熱部分６１５は、他の構成および／または幾何学形状を有することが可能である。図３Ａおよび図３Ｂは、断熱コンポーネント２０１の代替的な実施形態の断面を概略的に示している。上記に説明されているように、蓋断熱構造体１０２およびベース断熱構造体１０４（サイド断熱構造体４７５および底部断熱構造体４６５を含む）、またはその一部分のうちのいずれか、任意の組み合わせ、またはすべては、断熱コンポーネント２０１を含むことが可能であり、または、そうでなければ、図１に示されているような断熱コンテナ１００を含む、本明細書で説明されているような代表的な断熱コンテナにしたがって、断熱コンポーネント２０１の表面と共通の面を有する（断熱コンポーネント２０１の表面を含むかまたはそれと同一の広がりを持つ）ことが可能である。たとえば、サイド断熱構造体４７５の外側面１０８ａ、１０８ｂ、１０８ｃ、１０８ｄは、断熱コンポーネント２０１の表面を含むことが可能であり、または、断熱コンポーネント２０１の表面と同一の広がりを持つことが可能である。より特定の実施形態では、（ｉ）蓋断熱構造体１０２の蓋上側面１０６、（ｉｉ）サイド断熱構造体４７５の外側面１０８ａ、１０８ｂ、１０８ｃ、１０８ｄ、および／または、（ｉｉｉ）底部断熱構造体４６５の底部外側面４５５のいずれかまたは任意の部分は、カバー部分上部表面２０７、カバー部分サイド表面２０９、リテイニング部分外側表面２１１、またはリテイニング部分底部表面２１３のすべてまたは一部分を含むことが可能であり、または、それと同一の広がりを持つことが可能である。他の実施形態によれば、断熱コンポーネント２０１は、蓋断熱構造体１０２およびベース断熱構造体１０４（サイド断熱構造体４７５および底部断熱構造体４６５を含む）のうちのいずれか、任意の組み合わせ、またはすべての中に全体的に含有され得る。
【００３８】
１つの例では、図３Ａに示されているように、断熱コンポーネント２０１は、リテイニング部分３０５と、カバー部分３２４と、断熱部分６１５とを含むことが可能であり、断熱部分６１５は、リテイニング部分３０５とカバー部分３２４との間に配設されている。リテイニング部分２０５は、側壁部３１０および底部壁部３１２を含むことが可能であり、それらは、図２Ａに図示されているように、キャビティー２１４を形成している。
【００３９】
上記に説明されているように、断熱部分６１５は、キャビティー２１４の中にフィットするようにサイズ決めされ得り、より詳細に下記に議論されているように、断熱部分６１５は、１つまたは複数の真空断熱式パネル６２５を含むことが可能である。
【００４０】
図３Ａに示されているように、カバー部分３２４は、リテイニング部分３０５と係合され、断熱部分６１５をキャビティー２１４の中に固定することが可能である。たとえば、図３Ｂに示されているように、カバー部分３２４は、リテイニング部分３０５の内側表面３１６に係合することが可能である。図３Ａに示されているように、カバー部分３２４は、リテイニング部分３０５の上部表面３１８と交差することが可能である。
【００４１】
上記に説明されているように、カバー部分３２４は、たとえば、接着剤を含む化学結合剤を使用すること、スクリューを含む機械的な締結具を使用すること、溶接すること、および／または、低融点ポリマーなどのような別個の結合剤ありのまたはなしの（たとえば、溶融させることによる）熱結合を使用することを含む、適切な任意の手段によって、リテイニング部分３０５に係合／取り付けられ得る。いくつかの例では、部分３２４は、リテイニング部分３０５と係合され得り、水密シール、または、さらには気密シールが生成されるようになっている。これは、有利には、液体がキャビティー２１４および／または断熱部分６１５に到達すること（それは、一般的に、断熱部分６１５および断熱コンテナ１００の効率を低減させる可能性がある）を防止する可能性がある。
【００４２】
いくつかの実施形態では、断熱コンポーネント２０１は、１つまたは複数のガスケット３２１を含み、たとえば、図３Ａに示されているように、カバー部分３２４とリテイニング部分上部表面３１８との間のシールを形成するかもしくは改善することが可能であり、または、図３Ｂに示されているように、カバー部分３２４とリテイニング部分内側表面３１６との間のシールを形成するかもしくは改善することが可能である。いくつかの実施形態では、断熱コンポーネント２０１は、任意の当接表面においてリテイニング部分３０５とカバー部分３２４との間に係合されている１つまたは複数のガスケット３２１を含むことが可能である。そのような構成は、リテイニング部分３０５とカバー部分３２４との間の熱伝導率を低減させることが可能であり、リテイニング部分３０５とカバー部分３２４との間に、水密シール、および、場合によっては、気密シールを生成させることが可能である。いくつかの実施形態では、ガスケット３２１は、たとえば、リテイニング部分３０５とカバー部分３２４との間の継ぎ目が１つまたは複数のガスケット３２１によって隠されるように据え付けられることによって、機能的な強化および審美的な強化を付与することが可能である。追加的に、いくつかの実施形態では、リテイニング部分３０５をカバー部分３２４に締結するために使用される締結部材は、１つまたは複数のガスケット３２１によって隠され得る。
【００４３】
いくつかの実施形態では、リテイニング部分２０５、３０５およびカバー部分２２４、３２４を含む断熱コンポーネント２０１の部分は、随意的に、１つまたは複数の中空の部分を含むことが可能である。たとえば、リテイニング部分３０５の側壁部３１０もしくは底部壁部３１２の中の考えられる中空の部分３５１、または、カバー部分３２４の中の考えられる中空の部分３５１が、図３Ｂの中に点線を使用して示されている。断熱コンポーネント２０１のエレメント（リテイニング部分３０５の側壁部３１０および／もしくは底部壁部３１２ならびに／またはカバー部分３２４を含む）は、一般的に約０．０５インチから約０．２５インチの間にある厚さ寸法Ｔ（または、場合によっては、厚さが一定でない場合には、最小厚さ寸法Ｔ）を有することが可能であり、代表的な厚さ寸法Ｔは、約０．１５インチである。１つまたは複数の中空の部分３５１は、断熱材料によって少なくとも部分的に充填されるように構成され得り、または、断熱材料によって少なくとも部分的に充填され得る。同様に、１つもしくは複数のまたはすべてのキャビティー２１４は、断熱材料によって少なくとも部分的に充填されるように構成され得り、または、断熱材料によって少なくとも部分的に充填され得り、そのケースでは、そのような断熱材料は、すなわち、断熱部分６１５である。１つの例では、断熱材料は、ポリウレタン・フォームなどのようなポリマー・フォームを含むことが可能である。しかし、別の例では、追加的なまたは代替的な断熱材料が、本明細書で説明されている開示の範囲から逸脱することなく、１つもしくは複数の中空の部分３５１または１つもしくは複数のキャビティー２１４を充填するために利用され得る。たとえば、１つまたは複数の中空の部分３５１は、代替的なポリマー・フォーム（たとえば、とりわけ、ポリスチレン・フォーム、ポリ塩化ビニル・フォーム、またはポリイミド・フォームなど）によって少なくとも部分的に充填されるように構成され得り、または、代替的なポリマー・フォームによって少なくとも部分的に充填され得る。そうであるので、１つの例では、断熱コンポーネント２０１のエレメント（リテイニング部分３０５の側壁部３１０および／もしくは底部壁部３１２ならびに／またはカバー部分３２４を含む）の１つまたは複数またはすべてを成形するために使用されるポリマーまたはポリマー・ブレンドは、第１の熱伝導抵抗を有することが可能であり、１つもしくは複数の中空の部分３５１および／または１つもしくは複数のキャビティー２１４を少なくとも部分的に充填するために使用される断熱材料は、ポリマーまたはポリマー・ブレンドよりも高い第２の熱伝導抵抗を有することが可能である。さらに別の実装形態では、１つもしくは複数の中空の部分３５１および／または１つもしくは複数のキャビティー２１４は、第２の断熱材料によって少なくとも部分的に充填されるように構成され得り、または、第２の断熱材料によって少なくとも部分的に充填され得り、第２の断熱材料は、中空の部分および／またはキャビティーの１つまたは複数の成形ポリマー表面に付着している。また、第２の断熱材料は、断熱材料をこれらの成形ポリマー表面に付着させることが可能であり、または、断熱材料をそれ自身に付着させることが可能である（すなわち、断熱材料のためのバインダーとして作用する）。たとえば、第２の断熱材料（それは、すなわち、バインダーである）に加えて、ポリマー・フレークまたはペレットの混合物は、１つもしくは複数の中空の部分３５１、１つもしくは複数のキャビティー２１４、または任意の組み合わせの中へ注入され得る。
【００４４】
１つの例では、１つもしくは複数の中空の部分３５１および／または１つもしくは複数のキャビティー２１４、または、それらの任意の組み合わせは、上記に説明されているような断熱材料、たとえば、断熱フォーム（ポリウレタン・フォーム）などによって部分的に充填され得る。中空の部分および／またはキャビティーを部分的に充填することは、断熱フォームを注入するかまたはその他の方法で断熱フォームを提供することを表すことが可能であり、中空の部分３５１および／またはキャビティー２１４が、少なくとも約５０％充填され得るか、少なくとも約８０％充填され得るか、少なくとも約８５％充填され得るか、少なくとも約９０％充填され得るか、少なくとも約９５％充填され得るか、少なくとも約９７％充填され得るか、少なくとも約９９％充填され得るか、少なくとも約９９．７％充填され得るか、または、少なくとも約９９．９％充填され得るようになっており、充填されるパーセンテージは、バルク形態の断熱材料および任意の第２の断熱材料の合計体積を、中空の部分３５１またはキャビティー２１４の体積によって割られたものを意味している。
【００４５】
さらなる他の例では、断熱コンポーネント２０１は、蓋断熱構造体１０２およびベース断熱構造体２０４（サイド断熱構造体４７５および底部断熱構造体４６５を含む）のうちの１つ、いくつか、またはすべてとともに使用されるときに、断熱部分６１５の使用に先行することが可能であり、リテイニング部分２０５およびカバー部分２２４によって取り囲まれている断熱コンポーネント２０１のキャビティー２１４が充填されていないようになっている。さらなる他の例では、断熱コンポーネント２０１は、蓋断熱構造体１０２、サイド断熱構造体４７５、および底部断熱構造体４６５のうちの１つ、いくつか、またはすべてとともに使用されるときに、断熱部分６１５を使用することが可能であり、断熱部分６１５は、固体材料（たとえば、ポリマーまたはポリマー・ブレンド）であり、断熱コンポーネント２０１のキャビティー２１４が、リテイニング部分２０５およびカバー部分２２４によって取り囲んでいるものと同じ組成または異なる組成の固体材料によって充填されるようになっている。たとえば、いくつかの実施形態では、蓋断熱構造体１０２は、１つの材料から形成され得り、他の実施形態では、たとえば、リテイニング部分２０５およびカバー部分２２４を取り囲むものを形成するためのポリマーの密度よりも低い密度を有するポリマーから、断熱部分６１５が形成されているケースなどでは、蓋断熱構造体１０２は、さまざまな密度の２つ以上の材料から形成され得る。一般的に、蓋断熱構造体１０２およびベース断熱構造体１０４を形成する材料は、外側の表面において、より高い密度を有しており、内部部分において、より低い密度を有することが可能である。いくつかの例では、蓋断熱構造体１０２およびベース断熱構造体１０４を形成する材料は、全体を通してさまざまな密度または同じ密度を有するポリエチレンであることが可能である。
【００４６】
図４Ａ〜図４Ｃは、ベース断熱構造体４０４を概略的に示しており、ベース断熱構造体４０４は、断熱コンテナ１００の改善された熱抵抗を実現するための、本明細書で説明されているシステムおよび方法とともに利用され得る。ベース断熱構造体４０４および蓋断熱構造体１０２は、貯蔵コンパートメント４４５を囲むように協働しており、これらの構造体は、同様の材料から製造され得る。１つの例では、ベース断熱構造体４０４は、図１に示されている断熱コンテナ１００のベース断熱構造体１０４に対応することが可能である。したがって、１つの例では、図４Ａは、ベース構造体４０４の上面図を概略的に示しており、図４Ｂは、断熱ベース構造体４０４の正面断面図を概略的に示しており、図４Ｃは、ベース構造体４０４の端面断面図を概略的に示している。１つの例では、図４Ａ〜図４Ｃに概略的に示されているベース断熱構造体は、１つまたは複数の成形ポリマーから形成され得り、また、貯蔵コンパートメント４４５を含むことが可能であり、貯蔵コンパートメント４４５は、内側トラフ構造体と称され得る。内側トラフ構造体４４５は、サイド断熱構造体４７５によって取り囲まれ得り（たとえば、たとえば、４つのサイドにおいて、その周辺部において境界を定められている）、サイド断熱構造体４７５は、図１のサイド外側面１０８ａ、１０８ｂ、１０８ｃ、および１０８ｄに対応する外側表面を有している。単一のサイド断熱構造体４７５は、単一のエレメント、たとえば、断熱コンポーネント２０１（図２Ａを参照）などを含むことが可能であり、断熱コンポーネント２０１は、断熱部分６１５を伴っているかまたは断熱部分６１５を伴っておらず、内側トラフ構造体４４５の周辺部の周りに連続的に延在している。複数のサイド断熱構造体４７５は、異なるエレメントまたは追加的なエレメント、たとえば、図４Ｂおよび図４Ｃにより良好に示されているように、囲まれたスペース４８０ａなどを含むことが可能である。複数のサイド断熱構造体のケースでは、これらは、内側トラフ構造体４４５の周辺部の個別のセクション（たとえば、サイド）の周りに延在することが可能である。たとえば、２つのサイド断熱構造体４７５（粒状フォーム・ポリマーによって充填されているそれぞれのキャビティー２１４を備えた断熱コンポーネント２０１を有する）は、反対側のサイド外側面１０８ａ、１０８ｃのうちのいくつかまたはすべてに対応する外側表面を有することが可能であり、一方、囲まれたスペース４８０ａを有する２つのサイド断熱構造体４７５は、反対側のサイド外側面１０８ｂ、１０８ｄのうちのいくつかまたはすべてに対応する外側表面を有することが可能である。図４Ｂおよび図４Ｃの実施形態によれば、サイド断熱構造体４７５は、外側壁部４３７ａを含むことが可能であり、その外側表面は、図１のサイド外側面１０８ａ、１０８ｂ、１０８ｃ、および１０８ｄのうちの１つまたは複数のうちのすべてまたは一部分に対応している。サイド断熱構造体４７５の外側壁部４３７ａは、対向する内側壁部４３９ａ、ならびに、対向する上部壁部４４１ａおよび底部壁部４４３ａと協働し、内部キャビティーまたは囲まれたスペース４８０ａを形成することが可能である。壁部４３７ａ、４３９ａ、４４１ａ、および４４３ａの幾何学形状によって決定付けられているように、囲まれたスペース４８０ａは、長方形の幾何学形状を有するものとして示されているが、本開示の知識を有する当業者は、丸みを帯びた（たとえば、楕円形）幾何学形状を含む、他の幾何学形状も可能であるということを認識することとなる。また、４つの個別の壁部が、図４Ｂ、図４Ｃに示されているが、囲まれたスペース４８０ａは、同様に、単一の連続的な（たとえば、湾曲した）取り囲む壁部または任意の数の個別の壁部から形成され得る。いくつかの実施形態では、壁部４３７ａ、４３９ａ、４４１ａ、および４４３ａは、壁部厚さを有することが可能であり、または、場合によっては、（一定でない場合には）一般的に約０．０５インチから約０．２５インチの範囲にある最小壁部厚さを有することが可能であり、代表的な厚さは、約０．１５インチである。いくつかの例では、たとえば、サイド断熱構造体４７５が、図１のサイド外側面１０８ａ、１０８ｂ、１０８ｃ、および１０８ｄに対応するそれぞれの外側表面を有するケースでは、囲まれたスペース４８０ａは、その周辺部の４つのサイドにおいて、内側トラフ構造体４４５を取り囲むことが可能である。１つまたは複数のサイド断熱構造体４７５は、中空の部分３５１および／またはキャビティー２１４に関して上記に説明されているような断熱材料によって随意的に充填されているかまたは少なくとも部分的に充填されている、囲まれたスペースを含むことが可能である。１つまたは複数のサイド断熱構造体４７５は、図４Ｂおよび図４Ｃの実施形態に示されているような囲まれたスペース４８０ａを有するというよりもむしろ、その代わりに、上記に説明されているように、断熱コンポーネント２０１およびそれらのそれぞれのキャビティー／複数のキャビティー２１４とともに使用され得る。サイド断熱構造体４７５の１つの実装形態では、囲まれたスペース４８０ａは、実質的に囲まれ得るに過ぎず、１つまたは複数の開口部４５０を含むことが可能であり、１つまたは複数の開口部４５０は、再シール可能であるかまたは閉鎖可能であり得り、１つまたは複数の開口部４５０を通して、上記に説明されているように、断熱材料が挿入され得る。他の例では、１つまたは複数の囲まれたスペースは、たとえば、底部断熱構造体４６５の囲まれたスペース４８０ｂと内側トラフ構造体４４５との間の上部壁部４４１ｂの中を含む、断熱ベース構造体４０４の他のパーツの中に形成され得る。
【００４７】
サイド断熱構造体４７５に関する上記の説明と同様に、底部断熱構造体４６５は、同様に、断熱コンポーネント２０１（図２Ａを参照）などのようなエレメント、または、囲まれたスペース４８０ｂを含むことが可能であり、断熱コンポーネント２０１は、断熱部分６１５を伴っているかまたは断熱部分６１５を伴っておらず、囲まれたスペース４８０ｂは、図４Ｂおよび図４Ｃに示されているように、対向する側壁部４３７ｂ、４３９ｂと協働して、対向する上部壁部４４１ｂおよび底部壁部４４３ｂから形成されている。図４Ｂおよび図４Ｃの実施形態によれば、底部断熱構造体４６５の底部壁部４４３ｂの外側表面は、断熱コンテナ１００の底部外側面４５５のすべてまたは一部分に対応することが可能である。図４Ｂおよび図４Ｃからも明らかであるように、サイド断熱構造体４７５の壁部は、底部断熱構造体４６５の壁部に接続するか、または、その他の方法で、底部断熱構造体４６５と共通の部分を共有することが可能である。
【００４８】
１つの例では、底部断熱構造体４６５は、図４Ｂおよび図４Ｃの実施形態に示されているような囲まれたスペース４８０ｂを有するというよりもむしろ、その代わりに、上記に説明されているように、断熱コンポーネント２０１およびそれらのそれぞれのキャビティー／複数のキャビティー２１４とともに使用され得る。リテイニング部分２０５およびカバー部分２２４によって取り囲まれているキャビティー２１４は、その中に配設されている断熱部分６１５を有することが可能である。このケースでは、図２Ａの実施形態の中のカバー部分２２４は、図４Ｂの実施形態の中の底部壁部４４３ｂに対応することが可能である。断熱部分６１５は、キャビティー２１４のすべてまたは一部分を充填するようにサイズ決めされ得り、底部壁部４４３ｂまたは他のカバー部分２２４によってその中に固定され得る。より詳細に下記に議論されているように、断熱部分６１５は、１つまたは複数の真空断熱式パネル６２５を含むことが可能である。
【００４９】
底部断熱構造体４６５が断熱コンポーネント２０１とともに使用されている実施形態では、カバー部分２２４は、断熱部分６１５の上方に設置され得り、断熱部分６１５をキャビティー２１４の中に固定することが可能である。また、断熱部分６１５は、カバー部分２２４の代替として、または、カバー部分２２４に加えて、接着剤、テープ、または他のデバイスを使用して、キャビティー２１４の中に固定され得る。カバー部分２２４は、ベース断熱構造体４０４の底部壁部４４３ｂの少なくとも一部分を含むことが可能である。他の実施形態では、カバー部分２２４は、キャビティー２１４の内側の表面に係合することが可能である。
【００５０】
カバー部分２２４は、たとえば、接着剤を含む化学結合剤を使用すること、スクリューを含む機械的な締結具を使用すること、および／または、低融点ポリマーなどのような別個の結合剤ありのまたはなしの熱結合（たとえば、溶融または溶接）を使用することを含む、適切な任意の手段によって、ベース断熱構造体４０４に締結され得る。いくつかの例では、締結具は、フィート４２５によって隠され得る。いくつかの例では、カバー部分２２４は、ベース断熱構造体４０４によって係合され得り、水密シールが生成されるようになっている。これは、有利には、液体がキャビティー２１４および／または断熱部分６１５に到達することを防止することが可能である（それは、一般的に、断熱部分６１５および断熱コンテナ１００の効率を低減させる可能性がある）。
【００５１】
断熱コンポーネント２０１とともに使用されている底部断熱構造体４６５のケースでは、断熱コンポーネント２０１のカバー部分２２４は、任意の適切な材料から製造され得る。いくつかの例では、カバー部分２２４は、ステンレス鋼などのような金属、プラスチック、および、たとえば炭素繊維を含む複合材から製造され得る。上記に説明されているように、いくつかの例では、断熱コンポーネント２０１のカバー部分２２４およびリテイニング部分２０５は、たとえば、ロトモールディングを通して、単一のピースとして成形され得り、他の例では、断熱コンポーネント２０１のカバー部分２２４およびリテイニング部分２０５は、別個のピースとして成形され得る。いくつかの例では、断熱部分６１５は、成形プロセス、たとえば、ロトモールディング・プロセスの間に、断熱コンポーネントのキャビティー２１４の中に含まれ得る。さらなる他の例では、カバー部分２２４および他のエレメントは、断熱部分６１５がキャビティー２１４の中に含まれることなく、単一のピースとして成形され得る。そのようなプロセスにおいて、カバー部分２２４は、たとえば、カッティングによって除去され得る。カバー部分２２４とリテイニング部分２０５との再係合がその後に続く。
【００５２】
上記に説明されている蓋断熱構造体１０２と同様に、ベース断熱構造体４０４は、成形ポリマーから形成され得る。成形ポリマーは、他の構造材料（たとえば、金属または合金）よりも比較的に低い熱伝導率を提供することが可能である。そうであるので、外側の環境から内側トラフ構造体４４５への、または、内側トラフ構造体４４５から外側の環境への熱伝達率を低減させるために、この比較的により低い熱伝導率は望ましい可能性がある。追加的に、上記に説明されているように、断熱コンテナ１００は、１つまたは複数の追加的な断熱材料によって充填されるように構成されている１つまたは複数のボイドまたはキャビティーを含むことが可能である。１つの例では、囲まれたスペース４８０ａ、４８０ｂなどのような内部キャビティーは、追加的な断熱材料によって充填され得るか、または、追加的な断熱材料によって充填されるように構成され得る。この追加的な断熱材料は、断熱コンテナ１００の構造エレメント（たとえば、壁部４３７ａ、４３９ａ、４４１ａ、および４４３ａ）を成形するために使用されているポリマーよりも高い熱伝導抵抗特性を示すことが可能である。このように、より高い熱伝導抵抗を示すが、より好ましくない機械的な特性（たとえば、成形ポリマーよりも比較的に低い機械的な強度およびリジッド性）に起因して、構造エレメントの構築には不適切である可能性のある材料が、断熱コンテナ１００の構造エレメントを構築するために使用される成形ポリマーとともに利用され得る。コンテナ１００などのような結果として生じる断熱デバイスの構造体は、高い機械的な強度およびリジッド性ならびに高い熱伝導抵抗の組み合わせを有する、化合物または複合材であることが可能である。
【００５３】
１つの例では、囲まれたスペース４８０ａなどのような内部キャビティーは、１つまたは複数の内部構造体（たとえば、リブ、バッフル、フランジ、または他の構造エレメント）によって分離された複数のサブ・キャビティーを含むことが可能である。内部キャビティーは、複数の個別のキャビティーを含むことが可能である。１つの実装形態では、断熱コンポーネント２０１の囲まれたスペース４８０ａまたはキャビティー２１４などのような、内部キャビティーによって表される複数の個別のキャビティーは、より小さい開口部によって互いに接続され得る。別の例では、内部キャビティーは、１つの連続的なキャビティーであることが可能である。
【００５４】
１つの具体的な例では、ベース断熱構造体１０４および／または蓋断熱構造体１０２は、ポリエチレンから形成され得る。別の実装形態では、本明細書で説明されているシステムおよび方法は、追加的なまたは代替的なポリマーとともに利用され得る。たとえば、断熱コンテナ１００は、全体として、ならびに／または、ベース断熱構造体１０４および蓋断熱構造体１０２のいずれかまたは両方は、ポリテトラフルオロエチレン、ポリメチルメタクリレート、ポリプロピレン、ポリ塩化ビニル、ポリエチレンテレフタレート、ポリスチレン、ポリカーボネート、ポリウレタン、および／または、これらのうちの任意の２つ以上を含むかもしくはそれから構成されるブレンドを利用することが可能である。さらに、本明細書で説明されているように、内部キャビティーは、断熱材料によって充填され得るか、または、断熱材料によって充填されるように構成され得る。１つの例では、断熱材料は、ポリウレタン・フォームなどのようなポリマー・フォームを含むことが可能である。しかし、別の例では、追加的なまたは代替的な断熱材料は、本明細書で説明されている開示の範囲から逸脱することなく、内部キャビティーを充填し、内部キャビティーの１つまたは複数の表面に付着するように利用され得る。内部キャビティーは、多くの他のもののなかでも、ポリスチレン・フォーム、ポリ塩化ビニル・フォーム、もしくはポリイミド・フォームによって充填され得るか、または、それによって充填されるように構成され得る。そうであるので、１つの例では、断熱コンテナ１００のさまざまな構造エレメント、ならびに／または、ベース断熱構造体１０４および蓋断熱構造体１０２のいずれかもしくは両方を成形するために使用されるポリマーまたはポリマー・ブレンドは、第１の熱伝導抵抗を有することが可能であり、内部キャビティーを充填するために使用される追加的な断熱材料は、成形ポリマーまたはポリマー・ブレンドの熱伝導抵抗よりも高い第２の熱伝導抵抗を有することが可能である。さらに別の実装形態では、内部キャビティーは、第２の断熱材料によって充填され得り、第２の断熱材料は、内部キャビティーの１つまたは複数の成形ポリマー表面に付着している。また、第２の断熱材料は、断熱材料をこれらの成形ポリマー表面に付着させることが可能であり、または、断熱材料をそれ自身に付着させることが可能である（すなわち、断熱材料のためのバインダーとして作用する）。たとえば、第２の断熱材料（それは、すなわち、バインダーである）に加えて、ポリマー・フレークまたはペレットの混合物は、内部キャビティーの中へ注入され得るか、または、その他の方法で、内部キャビティーに提供され得る。
【００５５】
１つの例では、囲まれたスペース４８０ａ、４８０ｂなどのような内部キャビティーは、上記に説明されているような断熱材料、たとえば、断熱フォーム（ポリウレタン・フォーム）などによって部分的に充填され得る。内部キャビティーを部分的に充填することは、断熱フォームを注入するかまたはその他の方法で断熱フォームを提供することを表すことが可能であり、内部キャビティーが、少なくとも約５０％充填され得るか、少なくとも約８０％充填され得るか、少なくとも約８５％充填され得るか、少なくとも約９０％充填され得るか、少なくとも約９５％充填され得るか、少なくとも約９７％充填され得るか、少なくとも約９９％充填され得るか、少なくとも約９９．７％充填され得るか、または、少なくとも約９９．９％充填され得るようになっており、充填されるパーセンテージは、バルク形態の断熱材料および任意の第２の断熱材料の合計体積を、内部キャビティーの体積によって割られたものを意味している。
【００５６】
１つの実装形態では、断熱コンテナ１００および／または断熱蓋構造体１０２および／または断熱ベース構造体１０４の特定の熱的特性は、成形ポリマー構造体の特定の寸法および対応する表面積、ならびに、成形ポリマー構造体の厚さ（たとえば、ベース断熱構造体４０４の壁部４３７ａ、４３９ａ、４４１ａ、４４３ａ、４３７ｂ、４３９ｂ、４４１ｂ、４４３ｂの厚さ）に依存することとなり、また、１つもしくは複数のキャビティー２１４、中空の部分３５１、囲まれたスペース４８０ａ、ｂ、および／または他の内部キャビティーの厚さを含む、寸法に依存することとなる。そのような寸法は、体積に影響を与え、ひいては、その中に含有され得る断熱材料の量に影響を与える。
【００５７】
１つの実装形態では、断熱コンテナ１００および／または断熱蓋構造体１０２および／または断熱ベース構造体１０４は、ポリマーを成形するための１つまたは複数の回転成形プロセスを使用して製造され得る。そうであるので、当業者は、本明細書で説明されている開示の範囲から逸脱することなく、本明細書で説明されているシステムおよび方法とともに利用され得る回転成形プロセスのさまざまな詳細を認識することとなる。別の例では、断熱コンテナ１００および／または断熱蓋構造体１０２および／または断熱ベース構造体１０４は、１つまたは複数の追加的なまたは代替的な成形プロセスを使用して製造され得る。断熱コンテナ１００は、なかでも、射出成形プロセスを使用して、１つまたは複数のポリマーから成形され得る。そのうえ、断熱コンテナ１００および／または断熱蓋構造体１０２および／または断熱ベース構造体１０４は、本明細書で説明されている開示の範囲から逸脱することなく、なかでも、ドリリングおよびデバリング、カッティング、ならびにサンディングを含む、１つまたは複数の追加的な製造プロセスを使用して、さらに加工され得る。図４Ａ〜図４Ｃに示されているように、断熱ベース構造体４０４は、実質的に立方体状の形状で具現化され得る。しかし、他の実装形態では、断熱ベース構造体４０４は、これらの開示の範囲から逸脱することなく、追加的なまたは代替的な幾何学形状（たとえば、なかでも、円形、角錐台）で具現化され得る。
【００５８】
上記に説明されているように、断熱コンポーネント２０１の断熱部分６１５は、１つまたは複数の真空断熱式パネル６２５を含むことが可能である。同様に、中空の部分３５１、囲まれたスペース４８０ａ、ｂ、または、本明細書で説明されているような他の内部キャビティーは、真空断熱式パネル６２５を含有することが可能である。本明細書で説明されているような真空断熱式パネルは、一般的に、リジッドのコアを取り囲む実質的にガス密のエンクロージャーを含み、空気は、そこから実質的に排出されている。エンクロージャーは、膜壁部を含むことが可能であり、膜壁部は、フュームド・シリカ、エアロゲル、パーライト、またはガラス繊維などのような、リジッドで高度に多孔性の材料を取り囲む。真空断熱式パネルは、当業界において一般に知られている任意の他の材料から構成され得る。
【００５９】
いくつかの実施形態では、１つまたは複数の真空断熱式パネルは、約０．０６５インチの厚さ、または、約０．０３インチから約０．１インチの範囲にある厚さを有することが可能であり、（ＡＳＴＭ  Ｄ  １６２２−９３の下でテストされるときに）約１６ｌｂ／ｆｔ３の密度、または、約１０ｌｂ／ｆｔ３から約２０ｌｂ／ｆｔ３の範囲にある密度を有することが可能であり、（ＡＳＴＭ  Ｃ  ５１８−９３の下でテストされるときに）約０．０２０ＢＴＵ−ｉｎ／ｆｔ２−ｈｒ−°Ｆの熱伝導率、または、約０．０１０ＢＴＵ-ｉｎ／ｆｔ２−ｈｒ−°Ｆから約０．０３０ＢＴＵ-ｉｎ／ｆｔ２−ｈｒ−°Ｆの範囲にある熱伝導率を有することが可能であり、約０．２ＢＴＵ／ｌｂ°Ｆの比熱、または、約０．１ＢＴＵ／ｌｂ°Ｆから約０．３ＢＴＵ／ｌｂ°Ｆの範囲にある比熱を有することが可能である。
【００６０】
たとえば、断熱部分６１５、中空の部分３５１、囲まれたスペース４８０ａ、ｂ、または他の内部キャビティーとして使用される真空断熱式パネル６２５は、断熱部分６１５の中でのそれらの使用に関して図５Ａ〜図５Ｈに示されているすべての構成およびサイズを含む、任意の数の異なる構成およびサイズを有することが可能である。たとえば、図５Ａに示されているように、断熱部分６１５は、単一の真空断熱式パネル６２５を含むことが可能である。
【００６１】
実施形態では、図５Ｂに示されているように、断熱部分６１５は、複数の別個の真空断熱式パネル６２５を含むことが可能であり、複数の別個の真空断熱式パネル６２５は、一緒に係合されており、別個のパネル６２５同士の間に継ぎ目６０３を形成している。有利には、そのような構成では、１つのパネル６２５が故障する場合にも、残りのパネル６２５が、依然として、増加した熱抵抗を提供することが可能である。
【００６２】
図５Ｃ〜図５Ｈに示されているようなさらなる他の実施形態では、断熱部分６１５は、真空断熱式パネルの複数の層を有する複数の別個の真空断熱式パネル６２５を含むことが可能である。同様に、上記に議論されているように、そのような構成では、１つのパネル６２５が故障する場合にも、残りのパネル６２５が、依然として、増加した熱抵抗を提供することが可能である。
【００６３】
図５Ｃおよび図５Ｄは、６つの真空断熱式パネル６２５を示しており、６つの真空断熱式パネル６２５は、３つのパネル６２５を隣り合わせでそれぞれ有する２つの層６４４および６４６で構成されている。６つのパネル６２５だけが示されているが、より多くのパネル６２５が使用され得り、断熱部分６１５は、３つ以上の層のパネル６２５を使用して構築され得る。いくつかの実施形態では、たとえば、３つまたはそれ以上の層のパネルが使用され得る。同様に、上記に議論されているように、そのような構成では、１つのパネル６２５が故障する場合にも、残りのパネル６２５が、依然として、増加した熱抵抗を提供することが可能である。
【００６４】
図５Ｅおよび図５Ｆは、５つの真空断熱式パネル６２５を含む断熱部分６１５の別の代替的な構成を示しており、５つの真空断熱式パネル６２５は、３つの真空パネル６２５を隣り合わせで備える第１の層６４４と、２つの真空パネルを隣り合わせで備える第２の層６４６とを有している。いくつかの実施形態では、図５Ｅおよび図５Ｆに示されているように、真空パネル６２５は、第１の層６４４の真空パネル同士の間の継ぎ目が、第２の層６４６の真空パネル同士の間の継ぎ目に接触しないように配置され得る。
【００６５】
たとえば、図５Ｇおよび図５Ｈに示されているようなさらなる他の実施形態では、断熱部分６１５を形成する真空断熱式パネル６２５は、他の構成を有することが可能である。図５Ｇおよび図５Ｈに示されているように、第１の層６４４の真空断熱式パネルは、第１の層６４４の継ぎ目が第２の層６４６の平行な継ぎ目に触れないように配置され得る。
【００６６】
図６は、本明細書で説明されている１つまたは複数の態様による、断熱コンテナ１００と同様の断熱コンテナのベース断熱構造体６５０の等角分解図を概略的に示している。１つの例では、断熱構造体６５０は、ベース断熱構造体１０４と同様であることが可能であり、ベース断熱構造体１０４に関係して説明されているものと同様の１つまたは複数のエレメントを含むことが可能である。１つの実装形態では、および、図６に概略的に示されているように、ベース断熱構造体６５０は、外側シェル６５２および内側壁部構造体６５４を含む、２つの主要なエレメントから構築され得る。外側シェル６５２は、１つまたは複数のシート・メタル・ディープ・ドローイング・プロセスおよび／またはスタンピング・プロセスを使用して、ならびに、１つの例では、ステンレス鋼材料を使用して構築され得る。しかし、外側シェル６５２は、１つまたは複数の追加的なまたは代替的な金属、合金、ポリマー、または複合材料から構築され得り、また、１つまたは複数のディープ・ドローイング・プロセスまたは成形プロセスを使用して構築され得るということが企図される。同様に、内側壁部構造体６５４は、１つまたは複数のシート・メタル・ディープ・ドローイング・プロセスおよび／またはスタンピング・プロセスを使用して構築され得り、また、１つまたは複数の外側シェル６５２と同じ材料または異なる材料から構築され得る。そうであるので、内側壁部構造体６５４は、ステンレス鋼材料を使用して構築され得る。しかし、ベース断熱構造体６５０は、これらの開示の範囲から逸脱することなく、なかでも、１つもしくは複数の追加的なもしくは代替的な金属および／もしくは合金、１つもしくは複数の繊維強化材料、１つもしくは複数のポリマー、または１つもしくは複数のセラミック、または、それらの組み合わせを使用して構築され得るということが企図される。１つの例では、内側壁部構造体６５４の幾何学形状を作り出すために利用される１つまたは複数のディープ・ドローイング・プロセス、スタンピング・プロセス、および／または成形プロセスが、フランジ表面６５６を形成することも可能である。
【００６７】
１つの例では、ベース断熱構造体６５０の内側壁部構造体６５４は、１つまたは複数の連結プロセスによって、外側シェル６５２にリジッドに連結され得り、１つまたは複数の連結プロセスは、フランジ表面６５６を縁部６５８、６６０、６６２、および／または６６４のうちの１つまたは複数に連結するように構成されている。１つの具体的な例では、内側壁部構造体６５４は、なかでも、シールド金属アーク溶接プロセス、ガス・タングステン・アーク溶接プロセス、ガス金属アーク溶接プロセス、フラックス・コアード・アーク溶接プロセス、サブマージド・アーク溶接プロセス、エレクトロスラグ溶接プロセス、超音波アーク溶接プロセス、冷間圧接プロセス、電磁パルス溶接プロセス、レーザー・ビーム溶接プロセス、または摩擦溶接プロセスを含む、１つまたは複数の溶接プロセスまたはろう付けプロセスによって、外側シェル６５２に固定され得る。別の例では、外側シェル６５２は、１つもしくは複数の接着剤によって、シート・メタル・ヘム・ジョイントによって、または、１つもしくは複数の締結具エレメント（たとえば、なかでも、１つもしくは複数のスクリュー、リベット、ピン、ボルト、またはステープル）によって、内側壁部構造体６５４にリジッドに連結され得る。さらなる別の例では、外側シェル６５２は、なかでも、超音波溶接を含む、２つのポリマー構造体を一緒に連結するように構成されている１つまたは複数のプロセスによって、内側壁部構造体６５４に連結され得る。
【００６８】
図６に示されているように、内側壁部構造体６５４は、キャビティー６７０を含み、キャビティー６７０は、ベース断熱構造体６５０が蓋断熱構造体１０２などのような蓋断熱構造体に（ヒンジ接続式に、除去可能に、またはその他の方法で）連結されているときに、内部貯蔵コンパートメントを形成している。追加的に、互いに連結されているときに、外側シェル６５２および内側壁部構造体６５４は、図７Ａ〜図７Ｄの中のキャビティー７１０として概略的に示されているように、それらの間にキャビティーを形成している。
【００６９】
図７Ａ〜図７Ｄは、本明細書で説明されている１つまたは複数の態様による、ベース断熱構造体６５０の平面図、正面図、底面図、および端面図をそれぞれの概略的に示している。図７Ａ〜図７Ｄに概略的に示されているように、キャビティー７１０は、外側シェル６５２と内側壁部構造体６５４との間に形成されている。さらに、ベース断熱構造体６５０は、４つのフィート・エレメント７１２、７１４、７１６、および７１８を含むことが可能であり、４つのフィート・エレメント７１２、７１４、７１６、および７１８は、表面の上に構造体６５０を支持するように構成されている。
【００７０】
追加的に、ベース断熱構造体６５０は、キャビティー７１０の中に位置決めされている断熱部分６１５を含むことが可能である。図８は、本明細書で説明されている１つまたは複数の態様による、内側壁部構造体６５４の内部表面８０４に連結されている断熱部分６１５を有するベース断熱構造体６５０の等角分解図を概略的に示している。断熱部分６１５は、なかでも、１つもしくは複数の接着剤または機械的な締結具を含む、任意の連結手段によって、内部表面８０４に連結され得るということが企図される。代替的に、断熱部分６１５は、これらの開示の範囲から逸脱することなく、外側シェル６５２の内部表面に、たとえば、内部表面８０２に連結され得るということが企図される。追加的に、単一の断熱部分６１５が図８に示されているが、複数の断熱部分６１５が、断熱構造体６５０の中へ一体化され得り、また、これらの開示の範囲から逸脱することなく、内側壁部構造体６５４の１つまたは複数の追加的な内部表面に加えて、内部表面８０４を部分的にまたは完全にカバーすることが可能であるということが企図される。
【００７１】
１つの例では、１つまたは複数の断熱部分６１５は、外側シェル６５２と内側壁部構造体６５４との間のキャビティー７１０を部分的にまたは完全に充填することが可能である。１つの実装形態では、キャビティー７１０は、以前に説明されている断熱フォームのうちの１つまたは複数などのような、断熱フォームによって部分的に充填され得る。したがって、ベース断熱構造体６５０は、外側シェル６５２が内側壁部構造体６５４にリジッドに連結される前に、断熱部分６１５をキャビティー７１０の中に位置決めすることによって構築され得る。たとえば、断熱部分６１５は、キャビティー７１０の中に緩く位置決めされ得るか、または、内部表面８０４に付着されていることによって、キャビティー７１０の中へ導入され得る。その後に、外側シェル６５２を内側壁部構造体６５４に連結するように構成された１つまたは複数のプロセスに続いて、断熱フォームが、キャビティー７１０の中へ導入され、キャビティー７１０の未充填の体積を部分的にまたは完全に充填することが可能である。１つの例では、断熱フォームは、ベース断熱構造体６５０の底部表面の中の１つまたは複数の開口部を通してキャビティー７１０の中へ導入され得り、前記１つまたは複数の開口部が、示されているフィート・エレメント７１２〜７１８のうちの１つまたは複数によってシールされる。
【００７２】
図９は、本明細書で説明されている１つまたは複数の態様による、ベース断熱構造体９００の別の実装形態の正面断面図を概略的に示している。１つの例では、ベース断熱構造体９００は、ベース断熱構造体１０４と同様であることが可能であり、ベース断熱構造体１０４に関して説明されている１つまたは複数の材料および／またはプロセスを使用して構築され得る。１つの実装形態では、ベース断熱構造体９００は、サイド断熱構造体９７５および底部断熱構造体９６５を含み、それらは、内側トラフ構造体／内部貯蔵コンパートメント９５０を形成しており、それは、ベース断熱構造体９００が蓋断熱構造体１０２などのような蓋構造体に連結されているときに、内部貯蔵コンパートメントとして使用される。したがって、底部断熱構造体９６５およびサイド断熱構造体９７５は、断熱された壁部構造体９０２を含むことが可能であり、壁部構造体９０２は、これらの開示の全体を通して説明されているものと同様の１つまたは複数の断熱材料から構築され得る。１つの具体的な例では、断熱壁部構造体９０２は、１つもしくは複数のポリマー、たとえば、ポリエチレンもしくはポリカーボネート、または、これらの開示に説明されている任意の他のポリマーなどを含むことが可能である。追加的にまたは代替的に、断熱された壁部構造体９０２は、１つまたは複数の金属、合金、または複合材料を含むことが可能である。
【００７３】
図９に示されているように、断熱された壁部構造体９０２は、底部断熱構造体９６５およびサイド断熱構造体９７５に接続することが可能であり、または、その他の方法で、底部断熱構造体９６５およびサイド断熱構造体９７５と共通の部分を共有することが可能である。１つの例では、底部断熱構造体９６５およびサイド断熱構造体９７５は、断熱コンポーネント２０１と同様であることが可能であり、断熱された壁部構造体９０２の一部分がリテイニング部分２０５と同様であるようになっている。追加的に、底部断熱構造体９６５およびサイド断熱構造体９７５は、キャビティー９０４、９０６、および９０８を含むことが可能であり、キャビティー９０４、９０６、および９０８は、リテイニング部分２０５に関して説明されているキャビティー２１４と同様であることが可能である。さらに、ベース断熱構造体９００は、カバー部分９１０、９１２、および９１４を含むことが可能であり、カバー部分９１０、９１２、および９１４は、以前に説明されているように、カバー部分２２４と同様であることが可能である。そうであるので、底部断熱構造体９６５およびサイド断熱構造体９７５は、断熱部分６１５をそれぞれのキャビティー９０４、９０６、および９０８の中へ受け入れるように構成され得る。
【００７４】
１つの実装形態では、カバー部分９１０、９１２、および９１４は、底部断熱構造体９６５およびサイド断熱構造体９７５にリジッドに連結されており、断熱部分６１５をキャビティー９０４、９０６、９０８の中に保持することが可能である。そうであるので、なかでも、１つまたは複数の機械的な締結具、接着剤、または溶接プロセスを含む、任意の連結手段が、カバー部分９１０、９１２、および９１４を構造体９６５および９７５にリジッドに連結するために利用され得るということが企図される。さらに、カバー部分９１０、９１２、および９１４と構造体９６５および９７５との間の連結は、水密および気密であることが可能であるということが企図される。
【００７５】
１つの例では、断熱部分６１５は、それぞれのキャビティー９０４、９０６、および９０８を充填することが可能である。別の例では、断熱フォームなどのような追加的な断熱材料の塊が、キャビティー９０４、９０６、および９０８のうちの１つまたは複数の中へ導入され、断熱部分６１５によって充填されていない体積を部分的にまたは完全に充填することが可能である。
【００７６】
ベース断熱構造体９００の断熱壁部構造体９０２は、なかでも、回転成形、射出成形、ブロー成形、または深絞り成形を含む、これらの開示に説明されている形成プロセスおよび材料の任意の組み合わせを使用して構築され得るということが企図される。さらに、断熱壁部構造体９０２は、追加的な構造エレメント、たとえば、１つもしくは複数のキャビティー、または、図９に概略的に示されているものに対する１つもしくは複数の追加的な材料の層を含むことが可能であるということが企図される。
【００７７】
図９に示されているように、カバー部分９１０、９１２、および９１４は、ベース断熱構造体９００の１つまたは複数の外部壁部を形成している。別の実装形態では、１つまたは複数の断熱部分６１５が、内部貯蔵コンパートメント９５０と同様の内部貯蔵コンパートメントの中から断熱部分６１５を受け入れるように構成されたキャビティーにアクセスすることによって、断熱壁部構造体９０２と同様に、断熱壁部構造体の中に位置決めされ得る。そうであるので、図１０は、本明細書で説明されている１つまたは複数の態様による、ベース断熱構造体１０００の別の実装形態の正面断面図を概略的に示している。
【００７８】
図１０に示されているように、ベース断熱構造体１０００は、図９に説明されているベース断熱構造体９００と同様であることが可能である。そうであるので、ベース断熱構造体１０００は、底部断熱構造体９６５と同様の底部断熱構造体１０６５と、サイド断熱構造体９７５と同様のサイド断熱構造体１０７５とを含む。さらに、断熱壁部構造体１００２は、断熱壁部構造体９０２と同様であることが可能であり、キャビティー１００４、１００６、および１００８は、キャビティー９０４、９０６、９０８と同様であることが可能である。そうであるので、断熱壁部構造体１００２は、断熱コンポーネント２０１に関して説明されているリテイニング部分２０５と同様であることが可能である。しかし、図１０の示されている実装形態では、断熱部分６１５は、内部貯蔵コンパートメント１０５０の中の開口部を通して、キャビティー１００４、１００６、および１００８の中へ受け入れられ、内部貯蔵コンパートメント１０５０は、カバー部分１０１０、１０１２、および１０１４によって囲まれている。１つの実装形態では、カバー部分１０１０、１０１２、および１０１４は、内部貯蔵コンパートメント１０５０の内側壁部を形成することが可能である。追加的に、カバー部分１０１０、１０１２、および１０１４は、単一の連続ライナー・エレメントとして、または、別個のエレメントとして形成され得るということが企図される。カバー部分１０１０、１０１２、および１０１４は、任意の適切な連結手段によって、たとえば、なかでも、カバー部分９１０、９１２、および９１４に関して説明されているそれらの手段などによって、断熱壁部構造体１００２に連結され得るということがさらに企図される。
【００７９】
図１１Ａ〜図１１Ｂは、本明細書で説明されている１つまたは複数の態様による、ベース断熱構造体１１００の別の実装形態の断面図を概略的に示している。とりわけ、図１１Ａは、ベース断熱構造体１１００の製造プロセスの第１の段階を概略的に示しており、図１１Ｂは、完全なベース断熱構造体１１００の断面図を概略的に示している。１つの例では、ベース断熱構造体１１００は、ベース断熱構造体１０４と同様であることが可能であり、１つまたは複数の同様の材料およびプロセスを使用して構築され得る。１つの特定の実装形態では、図１１Ａに示されている第１の段階は、断熱部分６１５の周りにポリマー・フォームを成形し、コア構造体１１０４、１１０６、および１１０８を形成することが可能である。１つの例では、コア構造体は、サイド・コア構造体１１０４および１００８、ならびに底部コア構造体１１０６と称され得る。コア構造体１１０４、１１０６、および１１０８は、単一の構造体として、または、接続エレメントによって互いに連結される複数の別個の構造体として形成され得るということが企図される。なかでも、１つまたは複数の回転成形プロセスの前に、コア構造体１１０４、１１０６、および１１０８を互いに対して位置決めするように構成されている、１つもしくは複数のワイヤー・エレメントまたは犠牲的ポリマー・エレメントを含む、任意の接続エレメントが利用され得るということが企図される。さらに、図１１Ａ〜図１１Ｂに関して説明されているものと同様のプロセスが、図１に関連して説明されている蓋断熱部分１０２と同様に、蓋断熱部分を構築するために利用され得るということが企図される。
【００８０】
１つの実装形態では、コア構造体１１０４、１１０６、および１１０８は、ポリウレタンなどのようなポリマー・フォームから構築され得る。しかし、追加的なポリマー・フォームが、これらの開示の範囲から逸脱することなく利用され得る。有利には、コア構造体１１０４、１１０６、および１１０８は、機械的な応力および／または熱応力に対して、部分的にまたは完全にカバーされた断熱部分６１５の増加した保護を提供することが可能であり、機械的な応力および／または熱応力は、そうでなければ、１つまたは複数の回転成形プロセスの間に断熱部分６１５に損傷を与える可能性がある。したがって、図１１Ｂは、コア構造体１１０４、１１０６、および１１０８の周りに外側シェル構造体１１１０を追加するための１つまたは複数の回転成形プロセスに続く、ベース断熱構造体１１００の断面図を概略的に示している。そうであるので、外側シェル構造体１１１０は、任意の公知の回転成形プロセス、および、任意の１つまたは複数のポリマー、たとえば、これらの開示の全体を通して説明されているそれらのポリマーなどを使用して形成され得るということが企図される。
【００８１】
図１２は、本明細書で説明されている１つまたは複数の態様による、折り畳み可能な断熱部分１２００の１つの実装形態を概略的に示している。折り畳み可能な断熱部分１２００は、複数の断熱コンポーネント１２１０ａ〜１２１０ｅを含むことが可能であり、複数の断熱コンポーネント１２１０ａ〜１２１０ｅは、フレクシャー・エレメント１２１４ａ〜１２１４ｄによって互いに連結されている。したがって、フレクシャー・エレメント１２１４ａ〜１２１４ｄは、ライン１２１６ａ〜１２１６ｄとして概略的に示されているヒンジ・ラインに沿って、互いに対する断熱コンポーネント１２１０ａ〜１２１０ｅの回転を促進させる。１つの実装形態では、断熱コンポーネント１２１０ａ〜１２１０ｅおよびフレクシャー・エレメント１２１４ａ〜１２１４ｄの組み合わせは、折り畳み可能なサポート構造体と称され得る。さらに、断熱コンポーネント１２１０ａ〜１２１０ｅのそれぞれは、リテイニング部分１２０２およびキャビティー１２０４を含むことが可能であり、リテイニング部分１２０２は、リテイニング部分２０５と同様であることが可能であり、キャビティー１２０４は、キャビティー２１４と同様であることが可能である。エレメント１２２０は、断熱部分６１５に関して説明されているものと同様の様式で配置されている、単一の真空断熱式パネルまたは複数の真空断熱式パネルを含むことが可能である。さまざまな実装形態では、折り畳み可能な断熱部分１２００は、これらの開示の全体を通して説明されている場所において、断熱部分６１５に対する代替例として利用され得る。たとえば、折り畳み可能な断熱部分１２００は、これらの開示の範囲から逸脱することなく、ベース断熱構造体６５０、９００、１０００、および／または１１００、の中で利用され得る。
【００８２】
１つの実装形態では、折り畳み可能な断熱部分１２００は、この開示説明されている断熱部分６１５に加えて、または、その代替例として、さまざまな実装形態において利用され得る。図１２の示されている実装形態では、折り畳み可能な断熱部分１２００は、５つの断熱コンポーネント１２１０ａ〜１２１０ｅを含み、５つの断熱コンポーネント１２１０ａ〜１２１０ｅは、４つのヒンジ・ライン１２１６ａ〜１２１６ｄを有する４つのフレクシャー・エレメント１２１４ａ〜１２１４ｄによって、ヒンジ接続式に連結されている。したがって、折り畳み可能な断熱部分１２００の示されている実装形態は、５つの面を持ったアッセンブリへと折り畳まれるように構成されており、５つの面を持ったアッセンブリは、ベース断熱構造体１０４と同様のベース断熱構造体の一部を形成することが可能である。有利には、折り畳み可能な断熱部分１２００は、１つの例では、ベース断熱構造体の中の真空断熱式パネル１２２０のより精密な設置を可能にすることができる。そして、これは、なかでも、構造体の１つまたは複数の縁部において、強化された断熱を提供することによって、強化された断熱性能をベース断熱構造体に提供することが可能であり、その理由は、折り畳まれたアッセンブリが、構造体の１つまたは複数の角部の周りに延在するからである（それが、その中に受け入れられて連結されている）。追加的に、折り畳み可能な断熱部分１２００は、１つの例では、ベース断熱構造体１０４の１つまたは複数の組み立て動作の間に、増加した精度を提供することが可能である。
【００８３】
折り畳み可能な断熱部分の代替的な実装形態が、これらの開示の範囲から逸脱することなく利用され得るということが企図される。１つの例では、および、図１３に示されているように、折り畳み可能な断熱部分１３００として、４つの面を持った折り畳み可能な断熱部分が利用され得る。したがって、折り畳み可能な断熱部分１３００は、ベース断熱構造体１０４などのようなベース断熱構造体の少なくとも１つの角部の周りに延在する４つの面を有するアッセンブリへと折り畳まれるように構成され得る。複数の断熱コンポーネント１２１０およびフレクシャー・エレメント１２１４を利用する折り畳み可能な断熱部分の代替的な実装形態が、これらの開示の範囲から逸脱することなく想定され得るということがさらに企図される。たとえば、折り畳み可能な断熱部分は、２つの断熱コンポーネント１２１０、３つの断熱コンポーネント１２１０、または、６つの断熱コンポーネント１２１０を利用することが可能であり、それらは、これらの開示の範囲から逸脱することなく、任意の構成で、フレクシャー・エレメント１２１４によって相互接続される。
【００８４】
図１４Ａ〜図１４Ｂは、本明細書で説明されている１つまたは複数の態様による、折り畳み可能な断熱部分１４００の別の実装形態の端面図を概略的に示している。この概略図では、２つの断熱コンポーネント１２１０ａ〜１２１０ｂが、フレクシャー・エレメント１２１４によって互いに連結され得る。しかし、追加的な断熱コンポーネントおよびフレクシャー・エレメントが、これらの開示の範囲から逸脱することなく利用され得るということが企図される。断熱コンポーネント１２１０ａ〜１２１０ｂは、組み立てられていない構成（図１４Ａに示されている）から組み立てられた構成（図１４Ｂに示されている）へ折り畳まれ得る。図１４Ｂの組み立てられた構成は、互いに対して所定の角度１４０２で位置決めされている断熱コンポーネント１２１０ａ〜１２１０ｂを結果として生じさせることが可能である。この角度１４０２は、おおよそ９０°を測定することが可能である。しかし、角度１４０２は、これらの開示の範囲から逸脱することなく、任意の値を有することが可能であるということが企図される。
【００８５】
図１４Ａ〜図１４Ｂに示されている実装形態では、断熱コンポーネント１２１０ａ〜１２１０ｂは、図１４Ｂのアッセンブリへと折り畳まれているときに、断熱コンポーネント１２１０ａ〜１２１０ｂの非オーバーラッピング構成を結果として生じさせる。代替的な実装形態では、断熱コンポーネント１２１０ａ〜１２１０ｂは、図１５Ａ〜図１５Ｂに関して説明されているように、組み立てられた構成へと折り畳まれているときにオーバーラップすることが可能である。したがって、図１５Ａ〜図１５Ｂは、本明細書で説明されている１つまたは複数の態様による、折り畳み可能な断熱部分１５００の別の実装形態の端面図を概略的に示している。図１５Ａの組み立てられていない構成から、図１５Ｂの組み立てられた構成へ折り畳まれるときに、断熱コンポーネント１２１０ａ〜１２１０ｂは、互いにオーバーラップすることが可能であり、それは、強化された断熱性能（すなわち、より高い断熱値）を結果として生じさせることが可能である。しかし、追加的なまたは代替的な折り畳み方法論、たとえば、なかでも、断熱コンポーネント１２１０の部分的なオーバーラッピングなどが、これらの開示の範囲から逸脱することなく利用され得るということが企図される。
【００８６】
断熱構造体のさらに代替的な実装形態が、図１６〜図２０に概略的に示されているように企図される。したがって、図１６〜図２０に示されている断熱コンテナは、これらの開示の全体を通して議論されている任意の方法論を使用して、および、１つもしくは複数のポリマー、金属、合金、複合材、またはセラミック材料から構築され得るということが企図される。１つまたは複数の連結が、図１６〜図２０の断熱構造体に関して議論される場合に、任意の連結方法論が利用され得り、それは、これらの開示の範囲から逸脱することなく、１つもしくは複数の機械的な締結具（たとえば、なかでも、スクリュー、リベット、ボルト、インターフェレンス・フィッティング）、化学的な締結具（たとえば、なかでも、接着剤／樹脂、）、または、他の連結方法論（たとえば、なかでも、溶接）を含むということが企図される。さらに、図１６〜図２０に示されている断熱コンテナは、１つまたは複数の真空断熱式パネル６２５を利用することが可能であり、１つまたは複数の真空断熱式パネル６２５は、なかでも、断熱部分６１５ならびに／または折り畳み可能な断熱部分１２００および１３００のうちの１つまたは複数の中にあることが可能であるということが企図される。図１６に示されている断熱コンテナ１６００は、蓋断熱構造体１６０２およびベース断熱構造体１６０４を含み、蓋断熱構造体１６０２およびベース断熱構造体１６０４は、ヒンジ接続式にまたは除去可能に互いに連結されるように構成されている。１つの実装形態では、蓋断熱構造体１６０２は、内側壁部構造体１６０８を含むことが可能であり、内側壁部構造体１６０８は、外側シェル１６０６に連結されるように構成されている。さらに、ベース断熱構造体１６０４は、内側壁部構造体１６１０を含むことが可能であり、内側壁部構造体１６１０は、外側シェル１６１２に連結されるように構成されている。
【００８７】
図１７は、本明細書で説明されている１つまたは複数の態様による、断熱コンテナ１７００の別の実装形態を概略的に示している。断熱コンテナ１７００は、蓋断熱構造体１７０２およびベース断熱構造体１７０４を含み、蓋断熱構造体１７０２およびベース断熱構造体１７０４は、ヒンジ接続式におよび／または除去可能に互いに連結されるように構成されている。さらに、蓋断熱構造体７００２は、内側壁部構造体１７１０を含み、内側壁部構造体１７１０は、外側シェル１７０８に連結されるように構成されている。ベース断熱構造体１７０４は、コンパートメント構造体１７１２を含み、コンパートメント構造体１７１２は、エンド・キャップ構造体１７１４にリジッドに連結されるように構成されている。
【００８８】
図１８は、本明細書で説明されている１つまたは複数の態様による、断熱コンテナ１８００の別の実装形態を概略的に示している。断熱コンテナ１８００は、蓋断熱構造体１８０２およびベース断熱構造体１８０４を含み、蓋断熱構造体１８０２およびベース断熱構造体１８０４は、ヒンジ接続式におよび／または除去可能に互いに連結されるように構成されている。蓋断熱構造体１８０２は、内側壁部構造体１８０８を含み、内側壁部構造体１８０８は、外側シェル１８０６に連結されるように構成されている。ベース断熱構造体１８０４は、内側壁部構造体１８１０を含み、内側壁部構造体１８１０は、外側シェル構造体１８１４の中に受け入れられるように構成されている。カラー構造体１８１２は、ベース断熱構造体１８０４の周囲部の周りにおいて、内側壁部構造体１８１０と外側シェル構造体１８１４との間に位置決めされるように構成されている。追加的に、１つまたは複数のグリップ・エレメント１８１６が、カラー構造体１８１２に連結されるように構成されており、断熱コンテナ１８００を手動で再位置決めするための１つまたは複数のハンドルを提供するように構成されている。
【００８９】
図１９は、本明細書で説明されている１つまたは複数の態様による、断熱コンテナ１９００の別の実装形態を概略的に示している。断熱コンテナ１９００は、蓋断熱構造体１９０２およびベース断熱構造体１９０４を含み、蓋断熱構造体１９０２およびベース断熱構造体１９０４は、ヒンジ接続式におよび／または除去可能に互いに連結されるように構成されている。蓋断熱構造体１９０２は、内側壁部構造体１９０８を含み、内側壁部構造体１９０８は、外側シェル１９０６に連結されるように構成されている。ベース断熱構造体１９０４は、内側壁部構造体１９１０を含み、内側壁部構造体１９１０は、外側シェル構造体１９１４の中に受け入れられるように構成されている。カラー構造体１９１２は、ベース断熱構造体１９０４の周囲部の周りにおいて、内側壁部構造体１９１０と外側シェル構造体１９１４との間に位置決めされるように構成されている。追加的に、エンド・キャップ構造体１９１６は、外側シェル構造体１９１４にリジッドに連結されるように構成されている。さらに、１つまたは複数のグリップ・エレメント１９８０は、カラー構造体１９１２に連結されるように構成されている。
【００９０】
図２０は、本明細書で説明されている１つまたは複数の態様による、断熱コンテナ２０００のさらなる別の実装形態を概略的に示している。断熱コンテナ２０００は、蓋断熱構造体２００２およびベース断熱構造体２００３を含み、蓋断熱構造体２００２およびベース断熱構造体２００３は、ヒンジ接続式におよび／または除去可能に互いに連結されるように構成されている。蓋断熱構造体２００２は、中央部分２００４を含み、中央部分２００４は、２つの端部部分２００６および２００８にリジッドに連結されるように構成されている。端部部分２００６および２００８は、中央部分２００４に連結すると、蓋断熱構造体２００２の内側キャビティー２０１８を閉鎖およびシールすることが可能である。ベース断熱構造体２００３は、中央コンパートメント構造体２０１０を含み、中央コンパートメント構造体２０１０は、２つのエンド・キャップ２０１２および２０１４にリジッドに連結されるように構成されている。１つの実装形態では、エンド・キャップ２０１２および２０１４を中央コンパートメント構造体２０１０に連結することは、内部キャビティー２０１６をシールすることが可能である。
【００９１】
断熱構造体の追加的な実装形態が、図２１〜図３０Ｃに示されているように企図される。したがって、図２１〜図３０Ｃに示されている断熱コンテナは、これらの開示の全体を通して議論されている任意の方法論を使用して、および、１つもしくは複数のポリマー、金属、合金、複合材、またはセラミック材料から構築され得るということが企図される。１つまたは複数の連結が、図２１〜図３０Ｃの断熱構造体に関して議論される場合に、任意の連結方法論が利用され得り、それは、これらの開示の範囲から逸脱することなく、１つもしくは複数の機械的な締結具（たとえば、なかでも、スクリュー、リベット、ボルト、インターフェレンス・フィッティング）、化学的な締結具（たとえば、なかでも、接着剤／樹脂、）、または、他の連結方法論（たとえば、なかでも、溶接）を含むということが企図される。さらに、図２１〜図３０Ｃに示されている断熱コンテナは、１つまたは複数の真空断熱式パネル６２５を利用することが可能であり、１つまたは複数の真空断熱式パネル６２５は、なかでも、断熱部分６１５ならびに／または折り畳み可能な断熱部分１２００および１３００のうちの１つまたは複数の中にあることが可能であるということが企図される。
【００９２】
図２１〜図３０Ｃは、本明細書で説明されている１つまたは複数の態様による、断熱コンテナ２１００の別の実装形態を概略的に示しており、上記に議論されている断熱コンテナと同様である。断熱コンテナ２１００は、蓋断熱構造体２１０２およびベース断熱構造体２１０４を含み、蓋断熱構造体２１０２およびベース断熱構造体２１０４は、枢動可能に、ヒンジ接続式に、および／または除去可能に互いに連結されるように構成されている。蓋断熱構造体２１０２は、蓋内側壁部構造体２１０８を含み、蓋内側壁部構造体２１０８は、蓋外側シェル２１０６に連結されるように構成されており、内側壁部構造体２１０８と外側シェル２１０６との間に蓋キャビティー２１０３を形成している。ベース断熱構造体２１０４は、ベース内側壁部構造体２１１０を含み、ベース内側壁部構造体２１１０は、ベース外側シェル構造体２１１４の中に受け入れられるように構成されており、内側壁部構造体２１１０と外側シェル構造体２１１４との間にベース・キャビティー２１０５を形成している。蓋内側壁部構造体２１０８は、カラー構造体２１０９を含むことが可能であり、カラー構造体２１０９は、蓋断熱構造体２１０２の周囲部の底部の周りに延在しており、ベース内側壁部構造体２１１０は、カラー構造体２１１１を含むことが可能であり、カラー構造体２１１１は、ベース断熱構造体２１０４の周囲部の上部の周りに延在している。カラー構造体２１０９、２１１１は、外側壁部構造体２１０６、２１１４の間に位置決めされることとなるように構成されており、断熱コンテナ２１００の周囲部の周りで互いに係合するように構成されている。追加的に、エンド・キャップ構造体２１１６が、ベース外側シェル構造体２１１４および／またはベース内側壁部構造体２１１０の底部にリジッドに連結されるように構成されている。図２４に示されているように、キャビティー２１０５は、また、エンド・キャップ構造体２１１６および内側壁部構造体２１１０および外側シェル構造体２１１４の間に延在している。また、断熱コンテナ２１００は、１つもしくは複数のラッチ２１１５、ハンドル２１１７、および／またはヒンジ２１１９を含むことが可能であり、それは、本明細書で説明されているラッチ、ハンドル、およびヒンジと同様であることが可能である。
【００９３】
いくつかの例では、および、図２４に示されているように、蓋外側シェル２１０６およびベース外側シェル２１１４は、ステンレス鋼材料などのようなシート・メタルから形成され得る。しかし、蓋外側シェル２１０６およびベース外側シェル２１１４は、１つもしくは複数の追加的なもしくは代替的な金属、合金、ポリマー、または複合材料から構築され得り、また、１つもしくは複数のディープ・ドローイング・プロセスまたは成形プロセスを使用して構築され得るということが企図される。
【００９４】
蓋内側壁部構造体２１０８、ベース内側壁部構造体２１１０、およびエンド・キャップ構造体２１１６は、１つまたは複数のポリマー、たとえば、ポリエチレンもしくはポリカーボネートなど、または、これらの開示に説明されている任意の他のポリマーを含むことが可能である。しかし、蓋内側壁部構造体２１０８、ベース内側壁部構造体２１１０、および／またはエンド・キャップ構造体２１１６は、これらの開示の範囲から逸脱することなく、なかでも、１つもしくは複数の追加的なもしくは代替的な金属および／もしくは合金、１つもしくは複数の繊維強化材料、１つもしくは複数のポリマー、または１つもしくは複数のセラミック、または、それらの組み合わせを使用して、構築され得るということが企図される。蓋内側壁部構造体２１０８、ベース内側壁部構造体２１１０、および／またはエンド・キャップ構造体２１１６は、なかでも、回転成形、射出成形、ブロー成形、または深絞り成形を含む、これらの開示に説明されている形成プロセスおよび材料の任意の組み合わせを使用して構築され得るということが企図される。
【００９５】
内側壁部構造体２１０８、２１１０および／またはエンド・キャップ２１１６は、本明細書で説明されている方法を使用して、外側シェル２１０６、２１１４と係合または連結され得る。１つの例では、ならびに、図２４、図２５Ａ、図２７Ａ、図２７Ｄ、および図３０Ａに最良に示されているように、断熱コンテナ外側シェル２１０６、２１１４は、フランジおよび対応するチャネルまたは溝部を含有することが可能であり、それは、内側壁部構造体２１０８、２１１０および／またはエンド・キャップ２１１６を外側シェル２１０６、２１１４と係合させるように作用する。図２４、図２７Ａ、および図２７Ｄに示されているように、蓋外側シェル２１０６は、実質的に垂直方向の下向きのフランジ２１２１を含むことが可能である。フランジ２１２１は、蓋外側シェル２１０６の周囲部の周りにおいて、実質的にまたは全面的に延在することが可能である。蓋内側壁部構造体２１０８は、対応するチャネルまたは溝部２１２３を含むことが可能であり、フランジ２１２１が、対応するチャネルまたは溝部２１２３の中に係合している。追加的に、蓋内側壁部構造体２１０８は、１つまたは複数の蓋係合構造体２１２５を含有することが可能であり、１つまたは複数の蓋係合構造体２１２５は、図２４に示されているように、蓋内側壁部構造体２１０８のカラー構造体２１０９から実質的に垂直方向に上向きに延在している。蓋係合構造体２１２５は、蓋内側壁部構造体２１０８と一体的に形成され得る。蓋係合構造体２１２５に隣接するエリアにおいて、フランジ２１２１は、部分２１２１を有することが可能であり、部分２１２１は、実質的に内向きに（または、他のフランジ部分に対して垂直に）延在しており、蓋係合構造体２１２５の中の対応するチャネルまたは溝部２１２３ａに係合している。追加的に、ラッチ２１１５、ハンドル２１１７、および／またはヒンジ２１１９は、締結具２１２７を使用して、断熱コンテナ２１００に係合され得り、締結具２１２７は、蓋外側シェル２１０６および蓋係合構造体２１２５を通って進行する。有利には、外側シェル２１０６と内側壁部２１０８との間のそのような係合は、断熱構造体２１００の全体的な強度を強化する役割を果たすことが可能である。
【００９６】
ベース外側シェル２１１４は、ベース内側壁部構造体２１１０に係合することが可能である。図２４、図２５Ａ、および図３０Ａに示されているように、ベース外側シェル２１１４は、実質的に上向きの上部フランジ２１３１を含むことが可能である。フランジ２１３１は、ベース外側シェル２１１４の周囲部の周りにおいて、実質的にまたは全面的に延在することが可能である。ベース内側壁部構造体２１１０は、対応するチャネルまたは溝部２１３３を含むことが可能であり、フランジ２１３１が、対応するチャネルまたは溝部２１３３の中に係合している。追加的に、ベース内側壁部構造体２１１０は、１つまたは複数のベース係合構造体２１３５を含有することが可能であり、１つまたは複数のベース係合構造体２１３５は、図２４に示されているように、ベース内側壁部構造体２１１０のカラー構造体２１１１から実質的に垂直方向に下向きに延在している。ベース係合構造体２１３５は、ベース内側壁部構造体２１１４と一体的に形成され得る。ベース係合構造体２１３５に隣接するエリアにおいて、フランジ２１３１は、部分２１３１ａを有することが可能であり、部分２１３１ａは、実質的に内向きに（または、他のフランジ部分に対して垂直に）延在しており、ベース係合構造体２１３５の中の対応するチャネルまたは溝部２１３３ａに係合している。追加的に、ラッチ２１１５、ハンドル２１１７、および／またはヒンジ２１１９は、締結具２１２７を使用して、断熱コンテナ２１００に係合され得り、締結具２１２７は、外側シェル２１１４およびベース係合構造体２１３５を通って進行する。有利には、外側シェル２１１４と内側壁部２１１０との間のそのような係合は、断熱構造体２１００の全体的な強度を強化する役割を果たすことが可能である。
【００９７】
ベース外側シェル２１１４は、同様に、エンド・キャップ２１１６に係合することが可能であり、または、エンド・キャップ２１１６に連結され得る。図２４、図２５Ａ、および図３０Ａに示されているように、ベース外側シェル２１１４は、実質的に下向きの底部フランジ２１４１を含むことが可能である。フランジ２１４１は、ベース外側シェル２１１４の周囲部の周りにおいて、実質的にまたは全面的に延在することが可能である。エンド・キャップ２１１６は、対応するチャネル２１４３を含むことが可能であり、フランジ２１３１が、対応するチャネル２１４３の中に係合している。有利には、外側シェル２１１４とエンド・キャップ２１１６との間のそのような係合は、断熱構造体２１００の全体的な強度を強化する役割を果たすことが可能である。
【００９８】
断熱構造体２１００は、断熱部分６１５を含むことが可能であり、断熱部分６１５は、１２００、１３００、１４００などのような、および、図１２〜図１５に示されている任意の折り畳み可能なおよび／または曲げ可能な部分を含む、上記に議論されているものと同様の真空断熱式パネル６２５を含む。たとえば、断熱構造体２１００は、１つの実施形態では、キャビティー２１０３の中に蓋断熱部分または蓋断熱パネル２１５１を含むことが可能である。蓋断熱部分２１５１は、内側壁部構造体２１０８と係合せられ得る。同様に、断熱構造体２１００は、１つの実施形態では、２つの別個のサイド断熱パネル２１５３および３つの面を持った折り畳み可能なまたは曲げ可能な断熱パネル２１５５から構成されるベース断熱構造体を含むことが可能である。パネル２１５３および２１５５は、ベース内側壁部構造体２１１０と係合せられ得る。折り畳み可能な断熱部分１２００、１３００、および１４００と同様に、３つの面を持った断熱パネル２１５５は、フレクシャー・エレメントによって互いに連結されている複数の断熱コンポーネントを含むことが可能である。追加的に、また、パネル１２００、１３００、および１４００のように、３つの面を持った断熱パネル２１５５は、断熱部分６１５に関連して説明されているものと同様の様式で配置されている、単一の真空断熱式パネルまたは複数の真空断熱式パネルであることが可能である。１つの例では、図２８Ａおよび図２８Ｂに最良に示されているように、３つの面を持った断熱パネル２１５５は、単一の真空断熱式パネルを含み、折り畳まれたエリア２１５７を含むことが可能である。３つの面を持った真空断熱されたパネル２１５５の折り畳まれたエリア２１５７は、パネル２１５５の折り畳まれていない部分２１５９よりも多く圧縮され得り、折り畳まれたエリア２１５７の厚さが、折り畳まれていない部分２１５９の厚さよりも小さくなるようになっている。追加的に、いくつかの実施形態では、パネル２１５１、２１５３、および／または２１５５は、１つまたは複数のカット・アウトまたはノッチ付き部分を含むことが可能である。図２７Ｂおよび図２７Ｃに示されているように、蓋断熱パネル２１５３は、カット・アウトまたはノッチ付き部分２１５３ａを有することが可能であり、カット・アウトまたはノッチ付き部分２１５３ａは、ボトル・オープナーを収容するために使用され得る。同様に、図２５Ｂおよび図２８Ａに示されているように、断熱パネル２１５５は、カット・アウトまたはノッチ付き部分２１５５ａを含むことが可能であり、カット・アウトまたはノッチ付き部分２１５５ａは、ドレイン２１６１を収容するために使用され得る。他の実施形態では、パネル２１５３および２１５５は、カット・アウトまたはノッチ付き部分を含まなくてもよく、その代わりに、ボトル・オープナーおよびドレイン２１６１を含む追加的なハードウェアを収容するように、より小さくされ得る。上記に議論されているように、断熱パネル２１５１、２１５３、２１５５は、本明細書で議論されている真空断熱式パネルのいずれかと同様に構築され得る。
【００９９】
図２９Ａおよび図２９Ｂに示されているように、ドレイン２１６１は、エンド・キャップ２１１６およびベース内側壁部構造体２１１０を通過することが可能である。ドレイン２１６１は、ドレイン貫通部分２１６３を含むことが可能であり、ドレイン貫通部分２１６３は、いずれかの端部にネジ山付きの接続部２１６５を有しており、少なくとも１つの端部にリム２１６７を有している。また、ドレイン２１６１は、ガスケット２１６９、アパーチャーを有するナット２１７１、およびキャップ２１７３を含むことが可能である。図２９Ａに示されているように、リム２１６７は、エンド・キャップ２１１６に係合することが可能であり、ガスケットは、内側壁部構造体２１１０に係合することが可能である。次いで、ナット２１７１は、ドレイン部分を一緒に締め付けることが可能である。
【０１００】
上記に議論されているように、１つの例では、真空断熱式パネル（パネル２１５１、２１５３、および２１５５を含む）をキャビティー２１０３および２１０５の中へ据え付けた後に、キャビティー２１０３および２１０５は、以前に説明されている断熱フォームのうちの１つまたは複数などのような、断熱フォームによって部分的にまたは完全に充填され得る。したがって、蓋断熱構造体２１０２は、真空断熱式パネル２１５１をキャビティー２１０３の中に位置決めすることによって構築され得る。いくつかの実施形態では、パネル２１５１は、蓋内側壁部構造体２１０８と連結され得る。次いで、蓋内側壁部構造体２１０８は、機械的な締結具２１２７のうちのいくつかまたはすべてを係合させることによって、蓋外側シェル２１０６と連結され得る。次いで、断熱フォームが、キャビティー２１０３の残りの部分の中へ注入され得る。断熱フォームは、キャビティー２１０３の未充填の体積を部分的にまたは完全に充填することが可能である。同様に、ベース断熱構造体２１０４は、真空断熱式パネル２１５３、２１５５をキャビティー２１０５の中に位置決めすることによって構築され得る。いくつかの実施形態では、パネル２１５３、２１５５は、ベース内側壁部構造体２１１０と連結され得る。次いで、ベース外側シェル２１１４は、機械的な締結具２１２７のうちのいくつかまたはすべてを係合させることによって、ベース内側壁部構造体２１１０およびエンド・キャップ２１１６と連結され得る。次いで、断熱フォームが、キャビティー２１０５の残りの部分の中へ注入され得る。断熱フォームは、キャビティー２１０５の未充填の体積を部分的にまたは完全に充填することが可能である。
【０１０１】
真空断熱式パネル６２５は、任意の市販の真空断熱式パネルを含む、任意の真空断熱式パネルタイプを含むことが可能であるということが企図される。さらに、真空断熱式パネル６２５は、本明細書で説明されている開示とともに利用され、なかでも、断熱コンテナ１００、断熱構造体４０４、断熱構造体６５０、断熱構造体９００、断熱構造体１０００、断熱構造体１１００、ならびに／または断熱部分１２００、１３００、１４００および１５００などのような、断熱コンテナへの／からの熱伝達を低減させることが可能であるということが企図される。特定の例では、真空断熱式パネル６２５の特定のモデルが、それらの相対的な有効性を決定するためにテストされた。図１６は、５つの異なるタイプの真空断熱式パネルを備えて構成された断熱コンテナに対して実行された熱伝達テストの結果の表を示している。テストされた断熱コンテナは、断熱コンテナ１００と同様であり、５つの異なるタイプの真空断熱式パネルは、ｉ）１０ｍｍ  Ｐａｎａｓｏｎｉｃ  Ａｌｕｍｉｎｕｍ（タイプＡ）、ｉｉ）１０ｍｍ  Ｐａｎａｓｏｎｉｃ  ｖａｐｏｒｉｚｅｄ  ｍｅｔａｌ（タイプＣ）、ｉｉｉ）６ｍｍ  Ｖａ−Ｑ−Ｔｅｃ、ｉｖ）１２ｍｍ  Ｖａ−Ｑ−Ｔｅｃ、および、ｖ）１８ｍｍ  Ｖａ−Ｑ−Ｔｅｃを含む。検査方法論は、−２２°Ｆまで冷却された１９．５ｌｂの氷を内部貯蔵コンパートメントの中へ導入することによって、断熱コンテナの内部貯蔵コンパートメントの中の温度を、１０°Ｆを下回る温度へ調節することを含んでいた。図１６の表１６００に提示されているテスト結果は、断熱コンテナが閉鎖されて１００°Ｆの室温を有する外部環境の中に設置されているときに、内部温度が１０°Ｆから５０°Ｆへ上昇するのにかかる時間を測定している。
【０１０２】
利益
この開示の実施形態は、既存の断熱コンテナを上回る多くの利益を提示する。
【０１０３】
真空断熱式パネルは、断熱フォームと比較したときに低減される厚さを有しながら、断熱フォームと同様の熱抵抗を提供することが可能である。したがって、たとえば、上記に説明されているように、断熱コンテナの中の真空断熱式パネルの戦略的な設置は、断熱コンテナの熱抵抗を改善することが可能であり、および／または、貯蔵コンパートメントの中にアイテムを貯蔵するためのより多くのスペースを可能にすることができる。
【０１０４】
たとえば、上記に説明されているような真空断熱式パネルを含有する断熱コンテナは、ポリマーから成形され、断熱フォームを充填された、同様にサイズ決めされた断熱コンテナ（それは、真空断熱式パネルを有していない）と比較したときに、増加した熱抵抗を提供することが可能である。追加的に、たとえば、上記に説明されているような真空断熱式パネルを含有する断熱コンテナは、ポリマーから成形され、断熱フォームを充填された、同様の熱抵抗を有する断熱コンテナ（それは、真空断熱式パネルを有していない）と比較したときに、貯蔵コンパートメントの中に増加した貯蔵ルームを提供することが可能である。
【０１０５】
本開示は、さまざまな例を参照して、上記におよび添付の図面に開示されている。しかし、本開示によって果たされる目的は、本開示に関係するさまざまな特徴および概念の例を提供することであり、本発明の範囲を限定することではない。当業者は、本開示の範囲から逸脱することなく、上記に説明されている例に対して多数の変形例および修正例が作製され得るということを認識することとなる。
【図１】
2020519537.tif 000003
【図２Ａ】
2020519537.tif 000004
【図２Ｂ】
2020519537.tif 000005
【図２Ｃ】
2020519537.tif 000006
【図３Ａ】
2020519537.tif 000007
【図３Ｂ】
2020519537.tif 000008
【図４Ａ】
2020519537.tif 000009
【図４Ｂ】
2020519537.tif 000010
【図５Ａ】
2020519537.tif 000011
【図５Ｂ】
2020519537.tif 000012
【図５Ｃ】
2020519537.tif 000013
【図５Ｄ】
2020519537.tif 000014
【図５Ｅ】
2020519537.tif 000015
【図５Ｆ】
2020519537.tif 000016
【図５Ｇ】
2020519537.tif 000017
【図５Ｈ】
2020519537.tif 000018
【図６】
2020519537.tif 000019
【図７Ａ】
2020519537.tif 000020
【図７Ｂ−７Ｄ】
2020519537.tif 000021
【図８】
2020519537.tif 000022
【図９】
2020519537.tif 000023
【図１０】
2020519537.tif 000024
【図１１Ａ】
2020519537.tif 000025
【図１１Ｂ】
2020519537.tif 000026
【図１２】
2020519537.tif 000027
【図１３】
2020519537.tif 000028
【図１４Ａ】
2020519537.tif 000029
【図１４Ｂ】
2020519537.tif 000030
【図１５Ａ】
2020519537.tif 000031
【図１５Ｂ】
2020519537.tif 000032
【図１６】
2020519537.tif 000033
【図１７】
2020519537.tif 000034
【図１８】
2020519537.tif 000035
【図１９】
2020519537.tif 000036
【図２０】
2020519537.tif 000037
【図２１】
2020519537.tif 000038
【図２２】
2020519537.tif 000039
【図２３】
2020519537.tif 000040
【図２４】
2020519537.tif 000041
【図２５Ａ】
2020519537.tif 000042
【図２５Ｂ】
2020519537.tif 000043
【図２５Ｃ】
2020519537.tif 000044
【図２６Ａ】
2020519537.tif 000045
【図２６Ｂ】
2020519537.tif 000046
【図２７Ａ】
2020519537.tif 000047
【図２７Ｂ】
2020519537.tif 000048
【図２７Ｃ】
2020519537.tif 000049
【図２７Ｄ】
2020519537.tif 000050
【図２８Ａ】
2020519537.tif 000051
【図２８Ｂ】
2020519537.tif 000052
【図２９Ａ】
2020519537.tif 000053
【図２９Ｂ】
2020519537.tif 000054
【図３０Ａ】
2020519537.tif 000055
【図３０Ｂ】
2020519537.tif 000056
【図３０Ｃ】
2020519537.tif 000057
【国際調査報告】
2020519537.tif 000058